(57)【要約】商品が、例えば販売用の棚から取り出される数及び繰り返し回数を制御することによって商品の販売を向上する販売システム。販売システムは、商品を支持するために形成されるベースと、前記ベースに連結されるハウジングとを備える。前記ハウジングは、上部壁、第１側壁、第２側壁、及び前部保持壁を備える。前記販売システムは、前記ベースに移動可能に据え付けられるスプリングによって押し付けられるプッシャと、前記スプリングによって押し付けられるプッシャが前方に押し付けられる速度比を制御するために前記スプリングによって押し付けられるプッシャに取り付けられる制動組み立て体とを備える。
2012531971.tif 000002
【特許請求の範囲】
【請求項１】
商品を支持するために形成されるベースと、
上部壁、第１側壁、第２側壁、及び前部保持壁を備え、前記ベースと連結されるように形成されるハウジングと、
前記ベース上に移動可能に取り付けられるスプリングによって押し付けられるプッシャと、
前記スプリングによって押し付けられるプッシャに取り付けられて、前記スプリングによって押し付けられるプッシャが前方に押し付けられる速度比を制御するために形成される制動組み立て体と
を備える販売システム。
【請求項２】
前記前部保持壁は、前記前部保持壁及び前記第１側壁が商品を前記ベースから取り出すために通す隙間を定めるように前記ベースに対して所定角度を有している請求項１記載の販売システム。
【請求項３】
前記ベースは、さらにトラックを備える請求項２記載の販売システム。
【請求項４】
前記プッシャは、前記トラックに適合される請求項３記載の販売システム。
【請求項５】
前記ベースは、ラック開口及びラックをさらに備え、前記ラックは複数の歯を備える請求項４記載の販売システム。
【請求項６】
前記制動組み立て体は、ギア及び制動液体を格納するように構成されたギアハウジングを備え、前記ギア組み立て体は、商品がベースから取り出され、プッシャが前方に押し付けられ、ギア組み立て体が前記プッシャが前方に押し付けられる前記速度比を遅くするように作用するように、複数の歯と噛み合うように適合される請求項５記載の販売システム。
【請求項７】
前記前部保持壁は、前記ベースに最も近いチャンネルを備え、前記チャンネルは戻り止めを備え、レバーがスライド可能に前記チャンネルに取り付けられ、商品が前記隙間を通して前記ベースから取り出されるように、前記レバーは延設されない位置から延設される位置まで移動するように適合される請求項２記載の販売システム。
【請求項８】
前記レバーは、レバー偏倚部品が前記延設されない位置にあって前記レバーを偏倚するように、レバー偏倚部品及び商品を動かすためのレバーフックを備える請求項７記載の販売システム。
【請求項９】
前記隙間は商品よりも約５０％ほど幅が広い、請求項２記載の販売システム。
【請求項１０】
前記プッシャは、前記前部保持壁と実質的に同じ角度のプッシャフェースを備える請求項２記載の販売システム。
【請求項１１】
前記ベースは、トラックをさらに備える請求項１０記載の販売システム。
【請求項１２】
前記プッシャは前記トラックと連結するように適合される請求項１１記載の販売システム。
【請求項１３】
前記ベースは、ラック開口及びラックをさらに備え、前記ラックは複数の歯を有する請求項１２記載の販売システム。
【請求項１４】
前記制動組み立て体は、ギア及び制動液体を格納するように形成されるギアハウジングを備え、さらに前記ギア組み立て体は、商品がベースから取り出され、プッシャが前方に押し付けられ、ギア組み立て体が前記プッシャが前方に押し付けられる前記速度比を遅くするように作用するように、複数の歯と噛み合うように適合される請求項１３記載の販売システム。
【請求項１５】
前記前部保持壁は、前記ベースに最も近いチャンネルを特定し、前記チャンネルは戻り止めを特定し、レバーがスライド可能に前記チャンネルに取り付けられ、商品が前記隙間を通して前記ベースから取り出されるように、前記レバーは延設されない位置から延設される位置まで移動するように適合される請求項１４記載の販売システム。
【請求項１６】
前記レバーは、レバー偏倚部品が前記延設されない位置にあって前記レバーを偏倚するように、レバー偏倚部品及び商品を動かすためのレバーフックを備える請求項１５記載の販売システム。
【請求項１７】
商品を支持するために形成されるベースと、
上部壁、及び少なくとも一つの側壁を備え、前記ベースと連結されるように形成されるハウジングと、
レールと、
前記レールと連結するように形成される前部保持壁と、
前記ベース上に移動可能に取り付けられるスプリングによって押し付けられるプッシャと、
前記スプリングによって押し付けられるプッシャが前方に押し付けられる速度比を制御するために形成される、前記スプリングによって押し付けられるプッシャに取り付けられる制動組み立て体と
を備える販売システム。
【請求項１８】
前記前部保持壁及び前記ハウジングは、商品を前記ベースから取り出すために通す隙間を定める請求項１７記載の販売システム。
【請求項１９】
前記ベースは、さらにトラックを備える請求項１８記載の販売システム。
【請求項２０】
前記プッシャは、前記トラックに連結されるように適合される請求項１９記載の販売システム。
【請求項２１】
前記ベースは、ラック開口及びラックをさらに備え、前記ラックは複数の歯を有する請求項２０記載の販売システム。
【請求項２２】
前記制動組み立て体は、ギア及び制動液体を格納するように形成されるギアハウジングを備え、さらに前記ギア組み立て体は、商品がベースから取り出され、プッシャが前方に押し付けられ、ギア組み立て体が前記プッシャが前方に押し付けられる前記速度比を遅くするように作用するように、複数の歯と噛み合うように適合される請求項２１記載の販売システム。
【発明の詳細な説明】
【技術分野】
【０００１】
（関連出願の相互参照）
本国際特許出願は、２００７年９月２０日に出願された、米国特許出願番号第11/858,545の部分継続出願である、２００９年７月１日に出願された、米国特許出願番号第12/496,389の優先権を主張する。前記米国特許出願番号第11/858,545は、２００７年３月１３日に出願され、現在米国特許番号第7,451,881である米国特許出願番号第11/685,530についての利益を主張する。前記米国特許出願番号第11/685,530は、２００６年３月１３日に出願された米国仮出願番号第60/782,000の利益を主張する。米国仮出願番号第60/782,000は、２００６年１２月１８日に出願され、現在米国特許番号第7,299,934である米国特許出願第11/612,210の部分継続出願である。前記米国特許出願第11/612,210は、２００５年５月２７日に出願され、現在米国特許番号第7,150,365である米国特許出願番号第11,140,023の部分継続出願である。米国特許出願番号第11,140,023は、２００５年２月１日に出願された米国特許出願番号11/047,915の部分継続出願である。米国特許出願番号11/047,915は、２００４年２月３日に出願された米国仮特許出願第60/541,804の利益を主張する。本出願は、さらに、２００８年７月２日に出願された米国仮特許出願61/133,769及び、２００８年８月８日に出願された米国仮特許出願番号61/087,407の利益も主張する。これら全ての出願は、全てを参照として組み込まれる。
【０００２】
本発明は、全般的には商品の売買における使用のための棚組み立て体に関し、さらに詳細には売買される商品の安全及び管理を向上する棚組み立て体に関する。
【背景技術】
【０００３】
薬店、雑貨店、安売り店、玩具店等などの小売及び卸売店は、商品をストックするため、さらには商品を消費者に陳列するための両方で多量の棚を必要とし用いるのが知られている。店の売り上げを促進及び向上するために消費者に商品を陳列することにあって、これらの店は、商品が消費者にとって見やすく、さらには容易に手に取ることができるように、前記商品を棚の前に向けて置いたり或いは配置する。この好ましい配置は、ある欠点を有する。例えば、この好ましい商品の「前向き」配置によって、前記店は、比較的小さな商品又は高価なパッケージが盗難者のターゲットになりやすいことを認識している。ある種の商品は、例えば、ある薬品の場合にあって、その薬品を転売するか他の非合法な目的のためにそれらの商品を用いる潜在的な盗難者にとって高価である。この盗難者は増加しており、盗難者が一度に多量の商品をできるだけ短時間で盗みたがるので、小売店には著しい損失となる。このような盗難をするため、例えば、盗難者は、前記商品をハンドバック、バック、又はコートに非常に素早く腕にて集めるのに棚から「一掃(sweep）」し、注意を引かずに店から外にでる。
【０００４】
盗難は、消費者及び従業員の行動の両方によって起される、無くすのは難しかった。盗難を思いとどまらせ及び防ぐための試みは、部分的に効果的であるのみである。例えば、店内のカメラは、盗難者を捕まえるため或いは起訴するためにはあきらかなほど十分には盗難者を監視しないことがある。加えて、店内の警備員は、盗難者の行動を正確に監視するための正しい位置にいることはまれである。その結果として、盗難は商品の在庫管理における重大な問題及び費用負担であり続ける。
【発明の概要】
【発明が解決しようとする課題】
【０００５】
本発明は、これら盗難の問題を解決すると共に、商品を棚に陳列するシステムに伴う他の周知の欠点や問題を解決することを目的としている。
【課題を解決するための手段】
【０００６】
本発明は、小売環境における商品の安全及び管理に取り組むことによって、前述した課題を解決する。以下の説明にて明らかになるように、本発明は盗難者による商品の「一掃すること」を阻止し、短時間のうちに棚からたくさんの量の商品を取り出すのを制限するための能力を有する。複数の棚を接近して配置すること、棚の前端部から延びる商品デバイダを用いること、プッシャー（押し扉）の速度を制御する販売システムを用いること、及び商品へのアクセスを制限するための狭い隙間をもたらす特定の高さを有する前壁を配置することのような方法の一つ以上を用いることで、本発明は、一度での商品の一掃と非常に多数の取り出しを阻止する。本発明は、さらに、正当な買い物客による商品へのアクセスにおける影響を最小にしながら、店又は警備員及び盗難の起こりえる状態におけるセキュリティカメラに警報を出す能力を有する。前記前壁の上の狭い隙間に渡って設けられた可動バリアの動きを検出する警報装置を組み込むことにより、本発明は棚からのたくさんの商品の盗難の可能性を示す警報信号を提供する。一つの具現化例にあって、小売店に設置される箱型棚が提供される。箱型棚は、所望の特徴のモジュール組み立て式設備とし、既存の棚と変換可能に構成される。箱型棚は、通常の使用の間は第１の位置にて固定され、改良されたアクセス用の第２の位置にされるスライド可能な棚を備えて、さらにスライドできる棚の補充を容易にする。他の具現化例にあっては、低側面型(low-profile)の棚支持部が、大型商品の販売を許容するのに、棚の間のクリアランスを増加することによって商品の販売を向上させるために用いられる。
【０００７】
本発明の他の特徴および有利な効果が、後述の詳細な説明、特許請求の範囲及びふさわしい特徴を区別するためにふさわしい番号が用いられる図面を参照することによって、当業者によって明らかになるであろう。
【図面の簡単な説明】
【０００８】
【図１】本発明の商品安全及び管理システムの一具現化例の正面図である。
【図２】図１の具体的な安全及び管理システムの部分的な側面図である。
【図３】本発明に用いられる引き出し型棚の一具現化例の底面図である。
【図４】前記引き出し型棚を組み込んだ本発明の商品確保及び管理システムの一具現化例の正面図である。
【図５】商品デバイダと引き出し型棚に商品を補充することを示す一具体例の引き出し型棚の側面図である。
【図６】一具体例のプッシャ機構に加える前方の保持壁の具体例の取り付け及び、前記棚への第２の保持壁の具体例の側面図である。
【図７】前部保持壁及び第２の保持壁の正面図である。
【図８】棚に陳列された商品を伴った前方の保持壁及び第２の保持壁の具体例の正面図である。
【図９】図１の前記具体的な確保及び管理システムに取り付けられる具体的な警報装置の底面図である。
【図１０】本発明に用いられる具体的なロック機構を示す図である。
【図１１】本発明にて用いられる可動バリア及びバリア拡張部の一具体例を示す図である。
【図１２】図１１の可動バリア及びバリア拡張部のクローズアップ図である。
【図１３】図１１の可動バリア及びバリア拡張部に用いられる具体例のハンドルのクローズアップ図である。
【図１４】図１０のロック機構を収容するための開口及び取り付け構造を規定する図１１の可動バリア及びバリア拡張部のクローズアップ図である。
【図１５】セキュリティカメラの使用を含む図１の具体的な確保及び管理システムの部分的な正面図である。
【図１６】ビデオモニタの使用を含む図１の具体的な確保及び管理システムの部分的な正面図である。
【図１７】図１６のモニタ上のカメラ撮像画像とビデオ再生機からの画像との間で、具体的に切り換える動作のブロック図である。
【図１８】本発明に用いられる他の具体的なロック機構を示す図である。
【図１９】図１８の前記具体的なロック機構の他の図である。
【図２０】図１８の前記具体的なロック機構の後部の図である。
【図２１】本発明に用いられるさらに他の具体的なロック機構を示す図である。
【図２２】図２１の前記具体的なロック機構の他の図である。
【図２３】図２１の前記具体的なロック機構のロックプレートのクローズアップ図である。
【図２４】図２３の前記ロックプレートの他の図である。
【図２５】サイド壁を棚にさらに固定するために用いられるクリップの使用を含む具体的な実施例を示す図である。
【図２６】図２５の前記クリップの等角図である。
【図２７】図２５の取り付けられたクリップのクローズアップ図である。
【図２８】本発明に用いられる具体的な電気的な棒状電力供給部を示す図である。
【図２９】図２８の前記電気的な棒状電力供給部の他の図である。
【図３０】棚又は棚の一部上の商品のために安全をさらに提供するために用いられる側壁を含む具体的な実施例の図である。
【図３１】図３０の前記側壁の他の図である。
【図３２】側壁を前記棚にさらに固定するために用いられるクリップの等角図である。
【図３３】図３２の前記クリップの他の図である。
【図３４】本発明の一つ以上の態様に対応する具体的な箱型棚の等角図である。
【図３５】本発明の一つ以上の態様に対応する第２の位置におけるスライド可能な棚付きの具体的な箱型棚の断面図である。
【図３６】本発明の一つ以上の態様に対応する第１の位置におけるスライド可能な棚付きの具体的な箱型棚の断面図である。
【図３７】図３７ａ及び３７ｂは本発明の一つ以上の態様に対応するブロッキングリップにかみ合うヒンジプレートの具体例の断面図である。
【図３８】本発明の一つ以上の態様に対応する相互に積まれた二つの箱型棚の具体例を示す図である。
【図３９】本発明の一つ以上の態様に対応する箱型棚の一具体例の部分分解図である。
【図４０】図４０ａ、４０ｂ、４０ｃ及び４０ｄは、本発明の一つ以上の態様に対応するハウジングの一具体例の様々方向からの外観図である。
【図４１】本発明の一つ以上の態様に対応するハウジング及びドアの具体例の断面図である。
【図４２】本発明の一つ以上の態様に従う付加的な細部を提供するために省略された様々な特徴を伴う箱型棚の具体例を示す図である。
【図４３】本発明の一つ以上の態様に従う付加的な細部を提供するために省略された様々な特徴を伴う箱型棚の具体例を示す図である。
【図４４】本発明の一つ以上の態様に従う付加的な細部を提供するために省略された様々な特徴を伴う箱型棚の具体例を示す図である。
【図４５】本発明の一つ以上の態様に従う付加的な細部を提供するために省略された様々な特徴を伴う箱型棚の具体例を示す図である。
【図４６】本発明の一つ以上の態様に従ったスライドできる棚の断面図である。
【図４７】本発明の一つ以上の態様に従ったスライドできる棚の部分的な拡大図である。
【図４８】図４８ａ、４８ｂ及び４８ｃは、本発明の一つ以上の態様に従ったスライドできる棚の支持面の具体例のさまざまな図である。
【図４９】本発明の一つ以上の態様に従ったスライドできる棚の支持面の一具体例の一部の断面図である。
【図５０】本発明の一つ以上の態様に従ったスライドできる棚の支持面の一具体例の一部の断面図である。
【図５１】本発明の一つ以上の態様に従ったスライドできる棚の一部の具体例を示す図である。
【図５２】図５２ａ、５２ｂ及び５２ｃは、本発明の一つ以上の態様に従うヒンジプレートと構造の一具体例の等角図、部分拡大図である。
【図５３】図５３ａ、５３ｂ、５３ｃ、５３ｄ及び５３ｅは、本発明の一つ以上の態様に対応するヒンジプレートの具体例の複数の概観図である。
【図５４】図５４ａ、５４ｂ、５４ｃ、５４ｄ、５４ｅ及び５４ｆは、本発明の一つ以上の対応に対応した図５３ａ、５３ｂ、５３ｃ、５３ｄ及び５３ｅのヒンジプレートに結合するように構成されるヒンジベースの一具体例の複数の概観図である。
【図５５】図５５ａ、５５ｂ、５５ｃ及び５５ｄは、本発明の一つ以上の態様に従った棚支持部の一具体例の複数の図である。
【図５６】本発明の一つ以上の態様に従って垂直レールに噛み合うように構成された図５５ａ乃至ｄの前記棚支持部の等角図である。
【図５７】本発明の一つ以上の態様に従った一つのレールの具体例の断面図である。
【図５８】図５８ａ、５８ｂ、５８ｃ、５８ｄ及び５８ｅは、本発明の一つ以上の態様にしたがった箱型棚のハウジングの一具体例の様々な図である。
【図５９】図５９ａ、５９ｂ、５９ｃ及び５９ｄは、本発明の一つ以上の態様に対応するスライド可能な棚の一具体例の様々な図である。
【図６０】具体的な低側面型棚の支持部の側面図である。
【図６１】図６０の低側面型棚の支持部を組み合わせる棚システムの分解等角図である。
【図６２】図６０の低側面型棚の支持部を組み合わせる棚システムの他の分解等角図である。
【図６３】図６０の低側面型棚の支持部及び警報装置及び可動バリアを組み合わせた棚システムの側面図である。
【図６４】前記警報装置とも接触するリンケージに接触する可動バリアをさらに示す図６３の前記棚システムの部分拡大図である。
【図６５】前記可動バリアにも接触するリンケージに接触する警報装置をさらに示す図６３の棚システムの部分拡大図である。
【図６６】前記棚に取り付けられた箱型棚付きの図６１の棚システムの等角図である。
【図６７】図６６の前記箱型棚の等角分割図である。
【図６８】図６６の前記箱型棚の前記棚システムの側面図である。
【図６９】図６８の前記棚システムの部分拡大図である。
【図７０】前記棚に取り付けられた看板付きの図６１の前記棚システムの等角図である。
【図７１】図７０の前記棚システムの側面図である。
【図７２】複数の低側面型棚支持部付き及び選択的な取付ブラケット付きの図６１の棚システムの等角分解図である。
【図７３】図７２の前記棚システムの等角図である。
【図７４】棚及び棚の一部上の商品にさらに安全を提供するために用いられる調整可能壁の等角図である。
【図７５】図７４の前記調整可能壁の側面図である。
【図７６】図７４の前記調整可能壁の端部図である。
【図７７】図７４の前記調整可能壁の等角図である。
【図７８】図７４の前記調整可能壁の他の等角図である。
【図７９】具体的な商品販売システムの等角図である。
【図８０】図７９の前記商品販売システムの他の等角図である。
【図８１】図７９の前記商品販売システムの全面図である。
【図８２】図７９の前記商品販売システムの側面図である。
【図８３】図７９の前記商品販売システムの部分側面図である。
【図８４】図７９の前記商品販売システムの上面図である。
【図８５】図７９の前記商品販売システムの他の前面図である。
【図８６】前記商品販売システムから商品を取り除くことを示す、図７９の商品販売システムの他の前面図である。
【図８７】前記商品販売システムの前端部に向かって商品を示す図７９の商品販売システムの他の等角図である。
【図８８】具体的な商品販売システムの底面図である。
【図８９】図８８の前記商品販売システムの部分的な底面図である。
【図９０】具体的な商品販売システムの側面図である。
【図９１】前記商品販売システムから商品を取り出すことを示す図９０の商品販売システムの他の側面図である。
【発明を実施するための形態】
【０００９】
本発明の具体例を詳細に説明する前に、本発明は詳細な構成、以下の図面又は図面にて示される部品のアレンジメントに適用することによって制限されるものではないことが理解される。本発明は、他の具体例及び実施又は様々な方法によって実行されることが可能である。さらに、本明細書にて用いられる表現法及び専門用語は、説明の目的のためのものであり、制限することを目的としてはいないことも理解されるであろう。むしろ、本明細書にて用いられる表現及び技術用語には、最も広い解釈及び意味が与えられる。「備える(including)」及び「含む(comprising)」及びそれらの変形は、それらについての後述の事項を包含する意味であり、さらに付加的な事項及びその等価物と同義である。用語「取り付けられる(mounted)」、「連結される(connected)」、「結合される(coupled)」、「配置される(positioned)」、「噛み合わされる（engaged）」及び同様の用語の使用は、取り付けられること、連結されること、結合されること、配置されること、噛み合わされることの直接的及び間接的の両方の意味を含むように定義される。
【００１０】
本発明は、小売環境のような環境における商品の安全確保、管理、及び配置に関し、多数の具体例を含む。一つの具体例は、商品を確保し、盗難を防止するという確かな利点のもとに設計された小売店又は棚上で典型的に見られる標準又は既存の「販売店」の棚の両方に備わっている、棚管理及び表示システムを含む。前記具体例は、既存の棚システムの支柱を含む、或いは独立型ユニットであってもよい。前記陳列システムは、商品を棚の前方に強制的に置く前向きシステムを含む。そのようなシステムは、商品を通路に近い棚の前方に押しやるような例えば、重力、摩擦、磁力、又はバネ付整プッシャ或いは仕切り板のような様々な方法を用いる。商品を棚の前方に向かって方向つける多くのバネ偏倚されるシステムは、本明細書に参照として組み込まれる、Hardyに与えられた米国特許番号第6,041,720、Breslowに与えられた米国特許番号第4,830,201、さらにはHardyによる国際出願番号第PCT/US02/15760であり対応する国際公開番号第WO02/091885A1に説明されているシステムに記述されているし、それらを含む。
【００１１】
図１及び２を参照すれば、本発明の一具現化例にあって、棚管理及び陳列システム１００は、垂直な支柱１０２及び前記支柱に取り外し可能に取り付けられる商品棚１０４を含む。前記棚１０４は、所望される位置及び棚１０４の空間に依存して支柱１０２に沿って様々な位置に取り付けられる。同様に、棚１０４は、必要に応じて支柱に沿った異なる位置に動かされ或いは再配置される。図４及び５に示すように、棚１０４は、引き出しのように前記支柱１０２から引っ張りだされるような引き出し型棚であってもよい。図３に示されるように、棚１０４はロッキングデバイス１１７を組み合わせる。ロッキングデバイス１１７は、協働する留め金を備える。留め金は、ロックされた位置にあって相互に接触し、さらに留め金はアンロックされた位置にてこの接触を実質的に解除する。さらに留め金が解除されると、棚１０４は前記支柱から引き出されて離される。棚又は支柱は、磁石、ラッチ、ノッチ、バインダ、テンションなどのような他のロッキングデバイスを含んでもよい。一旦、引き出されると、店の従業員が商品を棚に補充できるし、その後、棚１０４を元の位置に戻すようにスライドさせ、さらに棚をロックできる。
【００１２】
後壁１０６は、商品の収容を助けるため、さらには陳列システム１００の後部からの商品へのアクセスを妨げるために周知の取付技術をとおして支柱１０２に取り付けられる。ロックボックス１０８は、追加の商品を格納及びロックするため、さらには店の従業員によって迅速な修復のために部品を置くために用いられる。ロックボックス１０８は、陳列システム１００にて、或いは上部近くの描写できる位置を含んで、支柱１０２上のいかなる位置にも配置されえる。他の具体例にあって、ロックボックス１０８は、支柱１０２の反対側で、棚１０４に固定されてもよい。いずれの取付位置でも、追加の商品及び棚に置かれた部品は、陳列システム１００に配置され、それゆえ、容易に店の従業員によって回収される。
【００１３】
本発明の一具現化例は、一連の壁又はディバイダ１１０を含む。デバイダ１１０は、商品列、レーン又はフェーシングとフェーシングの端部との間に、盗難者による商品の「一掃」を防ぐため配置される。これらの壁１１０は、「商品デバイダ」としてよく言及される。本明細書にて用いられるように、用語「垂直な壁」、「商品デバイダ」及び「デバイダ」は、いかなる壁（垂直及び非垂直を含む）、デバイダ、バリア、又は商品列、レーン又はフェーシングの間に用いられるセパレータを含むことを意味する。商品デバイダ１１０は、陳列システム１００上に離隔された方法によって配置されるとき、商品販売のために商品を配置及び分離するための商品レーン１１２を形成する。
【００１４】
商品デバイダ１１０又は側壁は、陳列システム１００の側部からの商品へのアクセスを防ぐために、商品フェーシングの側部にも配置される。一具体例にあって、これらのデバイダ又は側壁は、追加の商品の安全確保を提供するため垂直又は水平に延びることを許容するはめ込み特徴を備える。重要なことには、これらのデバイダ又は側壁は大きさ及びこれらの延長が多くの棚、棚を載せること又は陳列システム、或いはアプリケーションを係止するのを調整できるものとして、数多くのアプリケーションにて用いられる。
【００１５】
プッシャ１２６は、商品を前方に送るように用いられる。このプッシャは、商品を前方に送り出すのを補助するためコイルスプリングを組み込むことができる。いくつかの具体例にあって、デバイダ１１０は、ベース又はフロアを含むことができる。いくつかの具体例にあって、このフロアは、プッシャトラック１２８を含む。図６は、デバイダ壁の一方側上のフロアを示す。第２のフロアがデバイダ壁の反対側にもある。垂直なデバイダの両側のフロアにて、商品はこれらのフロア上に置かれている。一具体例にあって、商品は第１のデバイダの第１のフロア及び第２のデバイダの第２のフロアに置かれる。
【００１６】
商品デバイダ１１０は、商品デバイダ１１０を越えての商品の取り出しを防ぐために高さ、形状及び構造を限定する。商品デバイダ１１０は、垂直又は非垂直な仕様にて棚１０４の間に、さらに棚１０４の前部から後部壁１０６に延びている。デバイダ１１０は、全体的に矩形形状であるが、非矩形、楕円、繰り返しパターンのような、デバイダの他の形状及び構造が本発明で用いられてもよい。販売される商品、及び商品へのアクセスの望まれる頻度に依存して、商品デバイダ１１０の前端部１１４が棚１０４の間に垂直に延びてもよいし、あるいは商品に対して買い物客がより近づき易いようにさらに棚から取り出すのを容易にするため、非垂直に延ばしてもよい。一つの具体例にあって、デバイダ１１０は、前端１１１から外側に突出する前端部１１３を含む前端１１１を図５に示すように定める。前記前端の前記突出部は、以下に説明するように、前記保持壁又はタブ１２２のスライド可能な動きを妨げるための位置にて前記保持壁又はタブ１２２を保持するのを支援する。
【００１７】
商品デバイダ１１０は、多くの技術を用いて陳列システム１００に取り付けられる。一つの具体例にあって、デバイダ１１０は、棚１０４に形成された溝、或いは棚１０４を取り付けるベースに形成される溝に挿入される。同様に、デバイダ１１０は、棚に取り付けられるベースに一体に或いは一つの単位として形成されてもよい。さらに、デバイダ１１０は、当業者によって理解されるような軌道、チャンネル、或いは溝に取り付けられてもよい。本明細書に参照として組み込まれる、Hardyに与えられた米国特許番号第6,041,720、Breslowに与えられた米国特許番号第4,830,201、さらにはHardyによる国際出願番号第PCT/US02/15760であり対応する国際公開番号第WO02/091885A1に説明されているシステムに記述されているし、それらを含む。当業者は、他のデバイダ及びデバイダを棚に取り付ける技術が周知であり、本発明の教示によって用いられることを理解するであろう。
【００１８】
一具現化例にあって、デバイダ１１０は、ステップダウン又は傾斜をその後端に有し、或いは壁高さの減少を有し、壁１１０をそれが取り付けられている軌道から持ち上げられて外されるようにしている。この構造により、デバイダ１１０は、デバイダ上の棚に干渉することなく横に動かされる。一具体例によって、垂直壁又はデバイダ１１０は、その前端からの壁の長さの約２／３で始まるステップダウンを有する。
【００１９】
一具現化例にあって、棚の一部のみにおける品目の安全を高めることが望まれる。これらの品目は棚の中央部に配置されるか、或いは棚の側部に配置される。本明細書にて参照されるような安全機能は、棚の一部のみに追加されるが、棚の残りは安全機能を少しだけ備えるか或いはほとんど備えない。高安全品目が棚の中央部に配置されるところで、これら品目は壁の使用を通して棚の残りから区別される。これらの壁は、棚の高案全部にサイドバリアを提供する。これらの壁は、金属のような強固な構造とされ、棚のフロアから棚の上部にかなり近い距離に延びる。これらの壁は、壁が曲げられ、撤去され、或いはさもなければ妨げられる可能性を制限するため、さらには棚上にて販売される品目へのアクセスを制限することを補助するために、他の安全機能と同様に、棚に取り付けられる。
【００２０】
図２５、３０及び３１を参照すると、壁３４０及び３５０は、棚をより高い安全エリア又は低い安全エリアに隔離するために用いられている。壁３４０及び３５０は、スチールで作られ、棚のフロア或いはその近くから棚の天井又は近くのエリアに延ばされる。壁３４０及び３５０は、調節可能であってもよい。一具体例にあって、前記壁は、上部セクション３４４と下部セクション３４６とを備える。図３１に示されるように、これら二つのセクションは、継続的なバリアを提供するために重なっている。壁３４０の前記上部セクション３４４及び壁３４０の前記下部セクション３４６は、二つの壁を整列するために穴部を含む。ネジ、ボルト、ピン、ロッド又は他の留め具のような留め具３４８は、特定の高さにて前記二つの壁を結合するために用いられる。前記壁は、穴部を有するフロア３４２を備えており、棚のフロアに、ネジ、ボルト、ロッド又は他の留め具のような留め具３４９を介して接続されることができる。
【００２１】
図７４乃至７８を参照すると、他の具現化例にあって、壁３４０及び３５０がスライドできるように可動で、さらに再配置可能である調節可能な壁７０２とされている。調節可能な壁７０２は、前記壁７０２の動きと前記壁７０２の所望の位置への配置調整を許容する、一つ以上の細長とされたチャンネル又はスロット７０４を限定する。一具現化例にあって、前記チャンネル７０４は、垂直及び水平に前記調節可能な壁７０２に向けられる。前記調節可能な壁７０２は、所望のように動かされ、さらに配置され、ネジ、ボルト、ピン、ロッドなどのような留め具７０８の使用を通して低い壁部分７０６に固定されてもよい。低い壁部分７０６は、ネジ７０８を受け入れるための多くの穴７０９を含んでいるし、フロア７１０を前述したように棚のフロアに取り付けるための複数の穴７１１を含むフロア７１０を備えている。前記低い壁部分７０６に関連する前記調節可能な壁７０２を調節するのに都合のいいように、ヘックス鍵、レンチ、ネジ回し、などのツール７１４が、前記壁７０２の位置の所望される調節をユーザがするときに用いられるように低い壁部分７０６に取り付けられる。
【００２２】
容易に明らかなように、細長いチャンネル７０４は、低い壁部分７０６に関連する前記壁７０２の多くの取り付けのための位置を備える。一具現化例にあって、前記壁７０２は、前記低い壁部分７０６に固締される。留め具７０８が細長チャンネル７０４における位置７１６ａ及び７１６ｂに配置されている。この位置にあって、図７５に示すように、前記調節可能な壁７０２は、延長できない位置になる。多くの他の位置の一つにて、前記壁７０２が位置７１６ｃ及び７１６ｄに配置され、前記留め具７０８で留められる。この位置にあって、前記壁７０２は、前記壁が前記低い壁部分７０６に対して上に向かって延び、前記低い壁部分から離隔するように延長可能な配置となる。この位置にあって、前記壁７０２は、前記棚へのアクセスを防ぐための付加的なバリアの役割を果たし、それによって前記棚上の商品をさらに安全にする。さらに他の具体例によれば、前記壁７０２は、位置７１６ｂ及び７１６ｅに位置されて、ファスナ７０８により配置される。この位置にあって、前記壁７０２は、前記壁７０２が前記低い壁部分から離隔して延び、さらに前記低い壁部分と同じ高さになるように、延長される。棚に関する前記壁７０２の他の多数の配置が所望の安全レベル、棚の構造に依存して可能であり、さらにツール７１４が前記壁７０２の調節の簡便さと容易さを提供することが容易に理解される。前記細長いチャンネルが、前記低い部分に関連する前記壁７０２の移動及び調節を許容する数多くの他の構造を特定することが理解される。図７４乃至７８に示されるシステムは、棚の片方又は両端上、所望されれば、棚の前又は後ろに配置されて取り付けられる。さらに、前記壁は、金属又はプラスチックのような適切な材料よりなる。
【００２３】
図２５乃至２７、３０乃至３３を参照すると、クリップ又はクリップ部材３２０又は３６０は、前記壁３４０、３５０を棚１０４及び特に安全が保護された商品を安全が保護されない商品から分離する壁にさらに固定するために用いられる。前記クリップ３２０、３６０は、デバイダ１１０を棚１０４（具体例は図示せず）に固定するためにも用いられる。前記クリップ３２０、３６０は、壁の変形又は移動を防ぐため、壁３４０、３６０を強化するために用いられる。クリップ３２０、３６０の使用により、壁３４０、３５０は、盗難者が棚上の商品にアクセスするために壁を曲げたり捻ったりする可能性を前記クリップ３２０、３６０が妨げるので厚さが薄く、よりコストがかからない材料によって作られる。前記壁１４０、１５０も側壁として周知されている。
【００２４】
一具現化例にあって、後述するように、前記クリップ３２０、３６０は、一端にて、バリア１４０に蝶番をつけるために用いられる、ヒンジレール３２２を棚１０４にかみ合わせるように構成される。ヒンジレール３２２は、棚に取り付けられる。クリップ３２０、３６０は、ヒンジレール３２２との相互作用をとおして棚に取り付けられる。クリップ３２０、３６０は、反対端部にて、壁３４０、３５０をはめ込むように構成される。さらに詳細には、クリップ３２０は、ヒンジレール３２２及びヒンジレール３２２に沿った複数の位置のいずれかにて嵌るように構成されるブレード部３２４を備えるので、クリップ３２０の配置にて柔軟性を提供する。前記ブレード部３２４は、たくさんの形状及び構造を呈するし、クリップ本体３２８に結合或いは取り付けられる。クリップ本体３２８は、対向する壁取り付け部材３３０にさらに結合或いは取り付けられる。壁取り付け部材３３０は、取り付け部材３３０間に壁を通すことによって壁３４０の両側を挟むように位置されるように構成される。壁取り付け部材３３０は、図２７によって示されるように、前記取り付け部材３３０を前記壁３４０に固定するために用いられる取り付け留め具３３４を受け入れるために整列された穴３３２をさらに特定する。前記整列された穴３３２は、貫通穴或いはネジが切られた穴であってもよい。適切に理解されるように、どんな固締又は確保技術がクリップ３２０を壁３４０に固定するのに使われてもよい。
【００２５】
棚の側端にて壁３４０又は３５０が配置されるところで、クリップ３６０は、壁３４０、３５０を棚１０４にさらに固定するために用いられてもよい。棚の端部にて、ヒンジレールが途絶える（図示せず）。クリップ３６０は、クリップ本体３６４から一方向のみに延びるブレード部３６２を備える。ブレード部３６２は、ヒンジレール３２２に、はめ込まれるように構成される。一具体例にあって、ブレード部は単一ヒンジ部のみにはめ込まれるか、ヒンジレールに連結される。例えば、図２７にあって、単一ヒンジ部又は関節連結部は、３２３によって区別されている。ブレード部３６２は、第１のブレード部３６３及び第１の部分３６３に対して角度が付けられる第２の部分３６６を備える。第２の部分３６６は、関節連結部３２３の側部３２４と相互に作用するように構成される。ブレード部３６２は、多くの形状及び構成を呈するし、クリップ本体３６４に結合されても、或いは取り付けられてもよい。クリップ本体３６４は、対向している壁取付部材３６８にさらに結合されても、或いは取り付けられもよい。対向している壁取付部材３６８は、取り付け留め具（図示せず）を受容するために整列された、前記対向している壁取付部材３６８を壁３５０に固定するために用いられる、二つの穴３７０を特定する。整列された二つの穴３７０は、貫通穴或いはネジが切られた穴であってもよい。適切に理解されるように、どんな固締又は確保技術がクリップ３６０を壁３４０又は３５０に固定するのに使われてもよい。
【００２６】
前部保持壁１１６は、棚１０４の前端に沿って配置されてもよい。前部保持壁１１６は、商品を商品レーン１１２に保持するための「フェンス」の役割を果たすことができ、棚１０４の前方から商品が脱落することを防ぐのを助ける。前部保持壁１１６は、下記に説明するように、プッシャの押し込みによって引き起こされる商品の前方に向かう動きを止める。図６によって例示されるように、前部保持壁１１６は、棚１０４の前端部１１９に沿って延びるチャンネル又はレール１１８に取り付けられる。チャンネル又はレール１１８は、標準的な販売店の棚の既存の穴に取り付けられるし、棚１０４に周知の仕様によって固定される。前部保持壁１１６は、棚上の商品の視覚化を許容するため、さらに販売される商品に美的で魅力的な外観を与えるために、透明なプラスチックによって製造される。前部保持壁１１６は、不透明或いは半透明な材料、或いはワイヤから形成されることもできるし、グラフィックスを表示するように改造されてもよい。前部保持壁１１６は、矩形、楕円形、繰り返しパターンなどのような様々な構造を有することもできる。
【００２７】
図７により明瞭に示すように、前部保持壁１１６は、穴或いは開口１２０をも含んでもよい。穴或いは開口１２０は、前部保持壁１１６に沿って間隔が取られて前記壁１１６方向に延びる。穴或いは開口１２０は、買い物客及び店の従業員に、商品の挿入及び取り出しの容易さのために前記保持壁１１６から商品を押し戻したり、押し離したりさせる。
【００２８】
図１及び２に示すように、前部保持壁１１６は、所望の安全レベルに応じて、一度に一つの商品或いは一度に一対の商品、あるいは二、三の商品を取り出すのを許容する高さを有している。言い換えると、前部保持壁１１６の高さは、陳列システム１００における商品のアクセス及び除去の制限を可能とする。他の方法で述べると、前部保持壁１１６は、商品へのいかなるアクセスをも禁ずるほど高くはなく、買い物客又は店の従業員に、同時に前部保持壁１１６を越えて制限された数の商品へのアクセス及び持ち上げを許す大きさである。この制限された商品の取り出しは、前部保持壁１１６の使用及び商品上に位置される棚１０４の近傍を通して成し遂げられる。すなわち、一具体例にあって、商品上に配置される棚１０４は、商品の上端、或いは商品デバイダ１１０の上端の、どちらか高い方に近接して配置される。商品、商品デバイダ１１０及び前記保持壁１１６上に配置される棚１０４は、一つ、二つ或いは二、三のみの商品が単一動作で同時に取り出される開口又は窓１３１を形成する。この構成は、棚１０４からの商品の「一掃すること」をも防ぐ。窓１３１の大きさは、商品、商品デバイダ１１０、及び／又は保持壁１１６の上の棚１０４の配置を調整することによって、或いは、後述する、第２の保持壁１２２、バリア１３０、及び／又はバリア１４０の使用を通して調節される。この窓１３１の調節は、陳列システムの柔軟性を許容し、店に窓１３１の大きさを商品の大きさ、及び一度に買い物客にどのくらいの商品を一度に取り出させるのかに依存して設定させる。
【００２９】
一具現化例にあって、背の高い商品が棚１０４上で売られるか、小さな窓１３１が所望されると、第２の保持壁１２２が、商品の保持器として機能するために、前部保持壁１１６の背後或いはことによると前に配置される。ここで用いられるように、第２の保持壁２２は、「タブ」として言及されるし、いかなる保持構造、或いは、高い盗難品目のような特別の商品の選択的な盗難防止を提供するために、選択的に構成される、棚１０４に取り付けられる「フェンス」を含んでもよい。結果的に、第２の保持壁又はタブ１２２は、多数の構造、形状及び設計を有し、さらに商品の個々の列、或いは商品のグループ列の前で用いられることもある。
【００３０】
図６及び７に示すように、第２の保持壁又はタブ１２２は、前記チャンネル又はレール１１８に平行に延びる第２のチャンネル又はレール１２４に取り付けられる。第２の保持壁又はタブ１２２は、前記棚１０４又はレール１２４に相対的にスライド可能とされ、さらに前記棚１０４又はレール１２４に相対的に固定される。タブ１２２は、近接のデバイダ１１０の間に配置され、デバイダ１１０の間の位置に保持される。言い換えれば、タブ１２２は、デバイダ１１０がスライド可能な動きを妨げるので、前記チャンネル又はレール１２４内或いは上で大きなスライド可能な動きを許容されてはいない。いくつかの具体例にあって、デバイダ１１０は、タブ又は第１の保持壁を横方向に動くのを妨げるためのストッパとしての役割を果たす。そのような構成は、潜在的な盗難者がタブ１２２をサイドに簡単にスライドして一度に多くの商品を取り除くのを許容しないので、商品の盗難をさらに防ぐ。
【００３１】
第２の保持壁又はタブ１２２は、制限された数の商品へのアクセス及び取り出しを許容する高さを有する。もしも所望なら、タブ１２２は、一度に一つのみの商品の取り出しを許容する高さを有してもよい。タブ１２２の使用により、陳列システム１００は、様々な高さのタブが様々な大きさの商品を収容するために商品レーン１１２の前に配置されるという柔軟性を有する。すなわち、商品の列が近傍の列における商品とは相違する商品高さを有すると、様々な高さのタブ１２２は、適切なレベルの安全及び商品へのアクセスを提供するため用いられる。
【００３２】
一具現化例にあって、タブ１２２は一つの商品レーン１１２を越えて、或いは商品の単一列の前に延びるような大きさとされる。他の具現化例にあって、タブ１２２は、複数の商品レーン１１２にわたって延びるような大きさ及び形状とされてもよい。この具体例にあって、タブ１２２は、タブにデバイダ１１０を「またがせ」て、それによって複数の商品レーンにわたって延びるのを許容する。さらに、デバイダ１１０は、スロット又はチャンネルを介して延び、それによってタブ１２２のスライド可能な動きを禁じる。
【００３３】
第２の保持壁又はタブ１２２は、前記保持壁１１６の位置にても用いられてもよい。言い換えると、商品に面する前方の「フェンス」は、様々な高さ、長さ及び幅、或いは同一寸法のタブ１２２であってよい。この構成にあって、チャンネル又はレール１１８は、小売店の棚のクリップピン看板、価格タグホルダ、などのようなアクセサリーを取り付けるために用いられてもよい。タブ１２２は、デバイダ１１０に取り付けられもするし、さらにタブ１２２及びデバイダ１１０が一体化された部品のように形成される。タブ１２２のような一つの壁又は部分的な壁構造は、デバイダ１１０の前に存在し、さらにデバイダの左、右、或いは左右両方に延びてもよい。この壁又は部分的な壁は、前部保持壁１１６と共に、或いは単独で用いられてもよい。
【００３４】
一具現化例にあって、タブ１２２は、前記保持壁１１６における穴又は開口１２０と同様のタブ１２２を通る穴又は開口１２５を含み、商品の挿入及び取り出しの容易さのために、買い物客及び店の従業員に商品を後ろに押させて、前記保持壁１１６及びタブ１２２から離すようにさせる。言い換えると、ホール又は開口１２６は、商品を取り出しても商品を購入しないことを決定する買い物客によって商品を元に戻させる。この目的のため、穴又は開口１２０、１２５は、商品の列を押し戻すように、そこを通しての指のアクセスを許容するように形成される。いったん商品が押し戻されると、買い物客又は店の従業員は、取り出された商品の正面を前に向けて置き換えることができる。タブ１２２は、ホール又は開口１２５を含まないで用いられることも理解されるであろう。
【００３５】
一具現化例によれば、タブ１２２は、商品の正面を前に向けた個別列に安全を提供する。すなわち、商品の個別列用に追加の盗難防止策を提供することが所望される。この構成にあって、所望の寸法を有するタブ１２２は、商品列にまさに付加的な安全を提供するために所望の商品列の前に配置される。この具現化例は、異なる寸法の個別のタブ１２２が、特定の商品の安全を高めるためにフェーシングにわたって様々な場所に配置されるという、棚割り及び商品フェーシングを伴う付加的な柔軟性を店に提供する。
【００３６】
一具現化例にあって、保持器タブ１２２は、特別な商品用の固有のフェーシング基準で用いられる。もし、棚が様々な高さの商品パッケージを販売すると、保持壁１１６は、最も背の低い商品パッケージが持ち上げられて越される高さになるに違いない。もし、棚１０４、バリア１３０、又はバリア１４０が商品の上に設けられるなら、棚１０４、バリア１３０、１４０は、最も背の高い商品の交換を棚、バリアの下で許容するために、商品より上の高さで配置されるに違いない。これは、盗難者が比較的に低い保持壁１１６を越えた空間で、低い保持壁１１６より背の高い商品を容易に持ち上げられることにより、前記より背の高い商品への容易なアクセスを可能にさせる。そこで、背の高い商品の前方にあって前部バリアのみの高さを高くすることが望まれる。第２の保持壁又はタブ１２２は、前記保持壁１１６よりも背が高く、さらに第２の保持壁又はタブ１２２は、保持壁１１６より、小さな商品パッケージに望まれるよりも全体的に背が高い。保持壁又はタブ１２２は、それゆえ、一度に、或いは一つの動作での、背の高い商品へのアクセス、さらにはいくつかの背の高い商品の取り出しを制限するため、さらに商品の安全を確保し、盗難を防ぐために、形成されて用いられる。同様に、保持壁又はタブ１２２は、小さいが奥行きの深い商品へのアクセスを制限するため、さらには一度に或いは一つの動作でいくつかの小さいが奥行きの深い商品の取り出しを制限するために形成されて用いられる。保持器タブ１２２は、このように、大きさ、形状及び構造のいかんにかかわらず、小売業者及び製造業者による棚上の商品の柔軟な置き換えを許容する。
【００３７】
保持壁１１６及びタブ１２２は、多くの技術を用いて棚１０４に、直接的又は間接的に据え付けられる。保持壁１１６及びタブ１２２は、チャンネル又はレール１１８、１２４に、スライド可能に、受容可能に取り付けられる。チャンネル又はレール１１８、１２４は、留め具、接着剤、摩擦、張力、磁石、或いは他の保持技術及び方法によって、棚の前端に固定される。保持壁１１６及びタブ１２２は、棚１０４に、留め具、接着剤、摩擦、張力、磁石、或いは他の保持技術及び方法によって、直接的に取り付けられ、或いは結合される。保持壁１１６及びタブ１２２は、棚１０４に固定されるか、或いは設計及び陳列システムの安全レベルにおける付加的な柔軟性を許容するために、棚１０４に取り外し可能に取り付けられる。
【００３８】
プッシャ１２６は、商品を前方に押し出して、商品が棚の前部から取り出されるように、後部壁１０６と棚１０４の前端との間で商品の背後に配置される。保持壁１１６及びタブ１２２は、もし用いられるのであれば、いくつかの具現化例にて、プッシャの押し付けによって引き起こされる商品の前方への動きを止めることができる。周知のプッシャであり、本明細書に参照として組み込まれる、Hardyに与えられた米国特許番号第6,041,720、Breslowに与えられた米国特許番号第4,830,201、さらにはHardyによる国際出願番号第PCT/US02/15760であり対応する国際公開番号第WO02/091885A1に説明されているシステムに記述されているし、それらを含んでいる、が本発明にて用いられる。プッシャ１２６は、図６に示すような、棚の前端に向けて商品を押し出すために、トラック１２８に沿って動くスプリング押し付けプッシャである。トラック１２８は、デバイダの一方側のフロアを形成する。トラックを伴うか、伴わない第２のフロアは、デバイダの他方側に配置される。
【００３９】
一具現化例にあって、プッシャ１２６は、プッシャの押し出し面積を横方向に増加するために拡張し、それによって商品をより効率的に押し出すプッシャ幅を有するプッシャフェース又はパドル１２９を有する。言い換えると、プッシャ１２６は、幅が狭い商品又は広い良品のいずれかを押し出すために拡張可能なプッシュフェースを有する。プッシャフェース又はパドル１２９は、収縮された位置からいくつかの延ばされた位置の一つに拡張可能であってもよい。延ばされたプッシャフェースは、幅広の商品の中心又は中心の近くの背後の商品プッシング面に位置し、それによって幅広の商品への押し出し力を非常に高める。参照として本明細書に組み込まれているHardyによる米国特許出願番号第10/772,134にて説明されているシステム及びプッシャを含む、数多くのプッシャ及びプッシャフェースの他のタイプが本発明にて用いられてもよい。
【００４０】
プッシャ１２６は、図に示されているようなチャンネル取付技術を含む、周知の技術を用いて棚１０４に取り付け可能な独立型のユニットであってもよい。すなわち、一具現化例にあって、プッシャ１２６は、図６に示すような前方レール又はチャンネル１３３に取り付けられてもよいし、そのレール又はチャンネル１３３内又は上でスライド可能に調整されてもよい。代替的に、前述の参照特許及び出願、或いは周知の特許及び出願によって、プッシャ１２６は、デバイダ１１０と連結して用いられてもよいし、デバイダ１１０に操作可能に取り付けられてもよい。
【００４１】
他の具現化例にあって、プッシャ１２６は、表示用（indicia）の細長い１片（細長いタグ）を含むコイルスプリングのようなスプリング機構に組み込まれても良い。前記表示用の細長い１片は、スプリング機構に設けられ、プッシャ１２６の位置に関するデータを含む。検出器組み立て体は、前記表示用の細長い１片を走査し、商品を示す番号及び陳列システムのプッシャの位置のデータをポータブルコンピュータ又はコントローラのような店のコンピュータ或いは他の適切なデバイスに送信する。送信されたデータは、実時間における在庫レベルの判断などのために用いられる。この具現化例にあって、店の特定の位置から取り出された商品の量が判断される。この情報は、小売店内の様々な配置から商品が手に入るときに、効果的な商品配置及び販売促進の陳列を判断するために用いられる。そして、盗難の防止については、買い物客の一般の買い物習慣からの逸脱は、警報の誘因となる。すなわち、警報は、非常に多くの商品が一度に棚から取り出されたこと、それによって盗難が発生する可能性があることを警備員に警告するために用いられる。事件の発生により、カメラを盗難の可能性のある方向に向けさせるために、セキュリティカメラに警戒態勢をとらせる。この具現化例により、多くの検出器タイプ及び検出技術がプッシャ１２６の対応する位置及び動きを監視するために用いられる。例えば、一具現化例にあって、表示用の細長い１片は、光学的に読み出し可能であったり、受動変動容量、誘導、抵抗、磁力、又はアクティブ信号検出のような、異なるタイプの検出方法を用いて読み出すことができる多くのパターンタイプを含んでいる。本明細書に参照として組み込まれている、Swafford他の米国特許出願番号第10/772,010にて説明されているシステム及び技術を含む、多数の他のタイプの検出器及び検出技術が、潜在的な盗難状態のきざしであるプッシャ１２６の異常な動きの検出のために本発明にて用いることができる。
【００４２】
他の具現化例にあって、販売される商品は、摩擦、重力、及び／又は磁気作用を含む他の技術を介して、棚１０４の前方に押し付けられてもよい。これら技術のそれぞれは、陳列システム１００にて用いられ、さらに本発明にて教示されている。これらの技術は、所望のアプリケーションに依存して、デバイダ１１０を用いたり或いは用いなかったりする。一具現化例にあって、棚は完全に水平なだけではなく、後部から前部に上り勾配、或いは下り勾配を有してもよい。
【００４３】
他の具現化例にあって、販売される商品は、商品を棚１０４の特定の方向に向けて方向つける振動又は迅速な動きをとおして、棚１０４の前方に押し付けられる。振動は、商品が前向きであるように、商品を棚１０４の前方に動かさせ、さらに商品の後方への動きを妨げる。この振動は、機構的、電気的或いは他の構造、すなわち設計を介して適用される。
【００４４】
商品を棚１０４の前方に押し付けるための振動技術の他の具体例として、一般的な無指向性振動が陳列システムに適用される。この振動は、棚１０４、支柱１０２、フロア、壁、天井を介して、或いは振動又は空気を介して伝達する信号を通して適用される。小さなトグル、リッジ、フランジ、フィンガのような指示器が、商品をそれらの構造、形状及び向きに依存して特定の方向に動かす。これらの指示器は、あいまいな振動及び力からのエネルギを例えば前方のような特定の方向にて商品に向ける。前記指示器は、棚１０４、システムのデバイダ１１０、フロア、壁又は天井に配置されるし、商品自体に組み込まれる。
【００４５】
この振動技術の一具体例にあって、商品はフロア上に置かれ、摩擦が商品を棚の前方に向かって動かす。一具体例にあって、フロアは、動き提供デバイスに操作可能に結合されるフラット表面パネルであってもよい。その使用にあって、商品は、前記フラット表面パネル上に配置され、重力及び摩擦の組み合わせが前記フラット面パネル上の位置に保持する。デバイスに供給する動きはその後、ゆっくりと前記フラット面パネルを棚１０４の前方に配置される保持壁１１６に向かって移動する。予めセットされた時間の後、或いは商品位置検出技術を通して、動き提供デバイスは、迅速に、急な動きにあって、棚の後方に向かう、反対側の方向にフラット面パネルを引っ張る。これによって、フラット面パネルの迅速な動きは、商品とフラット面パネルの間の、商品に対してフラット面パネルにスライドさせ、さらに商品をそのフラット面パネルの位置に留まらせる、摩擦による接触を壊す。動き提供デバイスは、その後、前述されたプロセスを繰り返し、フラット面パネルを保持壁１１６に向けてゆっくりと動かす。商品を棚の前方に押し付けるためのそのような振動技術の例は、本明細書に組み込まれているHardyによる米国特許出願番号第60/541,859に開示されている。
【００４６】
前述されたように、デバイダ１１０、保持壁１１６及びタブ１２２は、盗難者が彼らのコート又はバックの中に多くの商品を一掃（sweep)すること、及び同一のフェーシングにおけるいくつかの商品を持ち去ことを妨げるのを支援する。商品へのアクセスさえも制限するため、他の具現化例にあっては、水平バリア１３０（図２）が商品パッケージ上に備えられ、さらに商品上に配置される棚１０４の前方端に固定される。水平バリア１３０は、棚１０４の前端部に固定され或いは、支柱１０２に固定されてもよい。バリア１３０は、商品が棚から取り出されるところの領域、ウィンドウ或いは隙間を低減することによって商品フェーシングにおける商品へのさえぎるもののないアクセスをさらに防ぐ。バリア１３０は、棚から切り離して製造されてもよいし、棚に一体にされてもよい。バリア１３０は、所望される安全レベルに依存して、ひとつのフェーシング上の商品列に及んでもよいし、商品の複数列に及んでもよい。代替的に、バリア１３０は、商品の調度上に配置される他の棚１０４を備えてもよい。この具体例によれば、商品上の棚１０４は、商品に接近して配置される。バリア１３０は、棚１０４の前方からの、棚、或いは商品プッシャからの一度の或いは一つの動きでの、二、三の商品のみの取り出しを許容するためのフェーシング列における前方商品の背後に配置される一つ又は二、三の商品へのアクセスを制限する。保持壁１１６及びタブ１２２は、商品が棚１０４から容易に取り出されるのを防ぐためにバリア１３０に接続可能に用いられる。言い換えると、本発明は、複数の商品が棚から一度に或いはひとつの動きにて取り出されることを防ぐために一つ、二つ或いは複数のバリア又は壁を、用いるのを意図している。バリア１３０は、様々な材料によって形成されてもよいし、周知の技術を通して棚１０４の前に固定されてもよい。
【００４７】
本発明の他の具現化例は、棚１０４上の商品の一つ又は二つ、いくつか、全て又は大部分の上部にわたって及ぶバリア１４０を組み入れる。バリア１４０は、保護される商品の調度上で、棚１０４或いはバリア１３０の端部にちょうつがいで動くか、或いは可動に取り付けられるドアと同様に機能する。ここで用いられるように、用語「バリア」は、棚１０４上の商品へのアクセスを妨げる、禁じるか或いは妨害するいかなる構成をも含むことを意味する。前記バリアは、多くの形状及び構成を具現化する。バリア１４０は、棚上の既存の取付穴を用いて棚１０４に取付られてもよい。バリア１４０は、バリアの上の棚から前方のレールの前端部上に取り付けられてもよい。前記棚の前端部は、フック又は「ｊ」形状である。バリア１４０は、前記フック又は「ｊ」形状が嵌る開口を有することもできる。バリア１４０は、保持壁１１６又はタブ１２２の上部端に合致するかオーバーラップする下部リップ又はエッジを特定する。そのような合致又は重なりは、落ち着いたアクションを除いて商品へのアクセスをさらに封鎖する。他の具現化例にあって、図１３に示すように、バリア１４０は、バリア１４０を閉鎖位置から開放位置に動かすこと、或いはその逆の動きを補助するため、ハンドル２０２を含む。ハンドル２０２は、図１３によって具体的に示されるように、バリアの端部に沿ってバリア１４０にモールドされているか、或いはハンドルは周知の技術を用いてバリア１４０に結合され、取り付けられ、固定され、或いは接着されてもよい。当業者は、発明が特定の形状又は構成のハンドルによって制限されるものではなく、ハンドルが多くの形状又は構成を特定することを適切に理解するであろう。さらに、バリア１４０は、バリア１４０の端部に沿って延びる補強リム構成とされる。補強リムは、バリア１４０への付加的な構成の整合性、及び剛性を提供する。補強リムは、ハンドルを装備或いは構成される。バリア１４０がここに説明されているようにロッキング機構によって形成されると、補強リムは潜在的な盗難者がバリア１４０を曲げること、或いは破壊することを妨げるのを補助し、したがって、盗難者は棚上にロックされ固定されることを意図した商品へアクセスすることになる。
【００４８】
穴又は開口２０４は、後述するように、ケーブルロック或いは同様のロッキング機構によって取り付けられて、バリア１４０に配置される。
【００４９】
他の具現化例にあって、商品陳列システムは逆の特徴を有する。フロア又は棚上に配置され、上方に延びる本発明のこのアスペクトは、天井に配置されるか或いは下方に延びるか、或いはその逆に配置されることができる。例えば、バリア１４０及び保持壁１１６、デバイダ１１０、及びタブ１２２は、逆転されてもよい。いくつかの具現化例にあって、保持壁１１６、デバイダ１１０、及び／又はタブ１２２は、棚１０４から上方に延びるバリア１４０上に構成される。保持壁１１６、デバイダ１１０及び／又はタブ１２２は、商品の上の棚の下側に配置され、下側に延びる。プッシャ１２６、及び／又はトラック１２８は、プッシャが下方に伸び、さらにプッシャスプリングが棚の下側の近くのプッシャ部分の近く又は背後に配置されるように、棚の下側に固定される。
【００５０】
いくつかの具現化例にあって、バリア１４０の背後の商品にアクセスするため、バリア１４０は、落ち着いた動きと、バリア１４０を片方の手で所定の位置で保持するために用いることを要求されて、動かされるか持ち上げられなければならない。バリア１４０が用い上げられるか動かされる間、商品は取り出される。所定の位置にてバリア１４０を保持するために一方の手を用いる買い物客又は店の従業員は、他方の手を陳列システム１００から商品を取り出すために用いる必要がある。この具体例は、買い物客が一度に二つの手で商品にアクセスする能力を妨げるように構成される。商品は買い物客又は店の従業員にアクセス可能ではあるが、短時間での大量の商品の取り出しは防止される。バリア１４０は、透明、不透明、或いは半透明材料によって形成されるし、様々な一般的な方法にてヒンジで取り付けられてもあるいはスライド可能とされてもよい。
【００５１】
図１１及び１２を参照して説明すると、調節可能及び取り外し可能なバリア拡張部２０６がバリア１４０に形成されていてもよい。バリア拡張部２０６は、棚の商品へのアクセスを防ぐか或いは制限するための大きなバリアを形成することによって付加的な商品の安全を提供するために用いられる。バリア拡張部２０６は、取り付け穴２０８と留め具２１０の使用によりバリア１４０に選択的に取り付けられてもよい。図示するように、いくつかの取り付け穴２０８がバリア１４０又はバリア拡張部２０６のいずれか、或いは両方に配置されている。これらの取り付け穴は、鉛直に又は非鉛直に整列されている。いくつかの取り付けホール２０８は、アプリケーション、安全の所望レベル、或いは棚の配置に依存して、バリア拡張部２０６が所望の長さ延長することを許容するために、バリア拡張部２０６がバリア１４０に対して調節可能であることを許す。留め具又は接着による他のタイプを用いる技術を含め、バリア拡張部２０６をバリア１４０に取り付けること又は配置することのための他の技術が本発明にも用いられる。
【００５２】
バリア拡張部２０６は、所望のアプリケーション及び商品保護のレベルに応じて多くの形状及び構造を特定することができる。例えば、バリア拡張部２０６は、商品の一列、一フェーシング、或いは一列又はフェーシング以上に及ぶように構成される。バリア拡張部２０６は、棚上の商品を買い物客又は在庫管理者に見えるようにさせるか、或いは妨げるように、澄んだ、透明な、又は半透明な材料によって形成される。バリア拡張部２０６は、さらに前述のハンドル２０２と同様のハンドルを含む。
【００５３】
バリア拡張部２０６は、さらに付加的な商品の安全をもたらすためにバリア拡張部２０６に付加的な構造上の一体性及び剛性を提供する補強リム２１２を含んでもよい。補強リム２１２は、ハンドル２１４を備えても或いは取り付けられてもよい。バリア拡張部２０６が本明細書にて説明されたようなロッキング機構が配置されるか、あるいはロック位置に構成されると、補強リム２１２はバリア拡張部２０６を潜在的な盗難者が曲げる或いは破壊することを妨げるのを補助するであろうし、それにより盗難者へは、棚上にてロックされさらに安全確保されることが意図される商品へのアクセスを提供する。
【００５４】
ロッキング機構は、棚上の商品をさらに隠すか或いはアクセスを妨げるためにさらにバリア１４０に追加されてもよい。一具現化例にあって、図１０に示されるように、シリンダロック２００が接近された位置からの商品へのアクセスを妨げるのに、バリア１４０又はバリア拡張部２０６を固定およびロックするために用いられてもよい。ロック２００は、開口又はホール２１６（図１４）を介して、バリア１４０又はバリア拡張部２０６に取り付けられてもよいし、保持壁１１６の開口１２０を介して取り付けられるように構成されてもよい。
【００５５】
一具現化例にあって、ロック２００は、保持壁１１６に形成されるか或いは保持壁１１６と構成される弓形状の壁部１１７に嵌め込まれていてもよい。弓形状の壁部１１７は、円筒状ロック２００のロッキングタブをより安全に保持壁１１６に据え付けるか、或いは保持壁１１６に対して挿入されて保持されるかによって、さらにロック２００を保持壁１１６に固定する。ロック２００のようなロックの使用によって、買い物客又は店の従業員は、バリア１４０を動かすか持ち上げる前にロックを開錠するための鍵、特別な工具、或いはアクセスカードを必要とするであろう。
【００５６】
一具現化例にあって、ロック２００は、保持壁１１６に構成されるか或いは共に形成される弓形状壁部１１７とかみ合う。弓形状壁部１１７は、円筒状ロック２００のロッキングタブをより安全に保持壁１１６に据え付けるか、或いは保持壁１１６に対して挿入されて保持されるかによって、さらにロック２００を保持壁１１６に固定する。ロック２００のようなロックの使用により、買い物客又は店の従業員は、バリア１４０を動かすか持ち上げる前にロックを開錠するための鍵、特別な工具、或いはアクセスカードを必要とするであろう。
【００５７】
図１８乃至２０を参照すると、他の具体的なロック機構が示されている。ロック２８０は、楕円状ロックを回転するキーロックであってもよい。ロック２８０は、保持壁１１６に形成されるホール２８２を介して保持壁１１６に固定される。図２０を参照してさらに詳しく説明すると、ロック２８０は、ボルトヘッド２８４を特定するアンカーリングボルトを含む。ボルトヘッド２８４及びワッシャは、ロック２８０を保持壁１１６に固定する。図２０に示されるように、複数のロック２８０の使用を提供するのと同様に、複数のホール２８２がロック２８０の場所及び配置にあって柔軟性を提供するために保持壁１１６に沿って設けられる。ロック２８０は、保持壁１１６と相互に影響しあうフランジ２９０、２９２をも含む。
【００５８】
図１８及び１９を参照すると、バリア１４０、或いは使用されるのであればバリア拡張部２０６が、楕円形状の開口２８６を限定している。複数のホール２８２によって提供される柔軟性と同様に、複数の開口２８６が同様の柔軟性を提供するためにバリア１４０或いはバリア拡張部２０６に沿って配置されている。図１８に示すように、ロック２８０がロック位置にあると、ロック２８０が開口２８６を通りすぎるのを妨げる。図１９に示すように、ロック２８０が鍵２８８の使用によりアンロック位置に動かされると、楕円形状のロック２８０は楕円形状の開口２８６を通りすぎて、バリア１４０或いはバリア拡張部２０６の開口を通過させる。バリア１４０或いはバリア拡張部２０６に取り付けられたロックの反対側への、さらには棚に延びるような、ロック２８０の使用と保持壁１１６への取り付けにより、ときどきバリア取り付けロックに発生しているような、棚上の商品への妨害がなくなくであろう。さらに、必須ではないが、ロック２８０は、チャンネル又はレール１１８、１２４と相互に作用するし、保持壁又はタブ１２２のような他の物体を実質的に自由に受け入れるこれらのチャンネル又はレールを残すこともできる。正しく理解されるように、本発明は、図示された楕円形状のロック２８０及び開口２８６に、図示されたロック及び開口の配置と同様、制限されるものではなく、むしろ、多くの変形形状の鍵付き或いは鍵なしロックが同じような形状の開口が形成されたバリア又はバリア拡張部が用いられ、多くの場所に配置されても本発明の効果が達成される。
【００５９】
代替的に、図２１乃至２４が他のロッキング機構を示す。ロックプレート３０２は、保持壁１１６に形成された開口又はスロット３０４及びバリア１４０又はバリア拡張部２０６に形成された開口３０６を介して延びる。ロックプレート３０２は、南京錠３００を受容するように構成されている。一つ以上の開口又はスロット３０４は、保持壁１１６における穴又は開口１２０の間の描かれた位置を含んだ保持壁沿いの様々な位置にて保持壁１１６に形成されてもよい。開口又はスロット３０４は、ロックプレート３０２を受け入れ、さらにロックプレート３０２を保持壁１１６上に固定するように構成される。開口又はスロット３０４は、鉛直なスロットとして描かれているが、開口又はスロット３０４の他の形状及び構造が本発明では可能である。南京錠３００は、商品へのアクセスを妨げるために近接した位置にあってバリア１４０又はバリア拡張部２０６を固定し、かつロックするために用いられる。南京錠３００は、周知の鍵付き或いは鍵なしの南京錠であってもよいし、可動ロックプレート３０２の使用によるバリア１４０又はバリア拡張部２０６に取り付けられた南京錠でもよい。
【００６０】
正しく理解されるように、所望されるレベルの安全に依存し、一つ以上のロックプレート３０２が、商品へのアクセスを妨げるために近接位置にて、バリア１４０又はバリア拡張部２０６を固定し、かつロックするために用いられてもよい。ロックプレート３０２は、保持壁１１６沿いの開口又はスロット３０４内に配置されるように動かされる。動かせることは、バリア１４０又はバリア拡張部２０６を、保護しなければならない棚上の商品のみ保護するような様々な幅にて形成させることができる。さらに、ロックプレート３０２は、チャンネル又はレール１１８、１２４と相互作用する必要がなく、保持壁又はタブ１２２のような他の物体を受け入れするために実質的に自由に、チャンネル又はレールを残すことができる。
【００６１】
一具現化例にあって、ロックプレート３０２は、適切な金属又はプラスチック材料にて形成され、さらに使用するのであれば、保持壁１１６及びバリア１４０又はバリア拡張部２０６を介して延びるノーズ３１０を有する。ノーズ３１０は、図２１に示すように、南京錠３００を受けるための開口又は穴３１２を有する。ノーズ３１０は、組み合わせられるときに、図２４に示すように、開口又はスロット３１４の底部端に嵌るノッチ又は切り欠き３１４も有する。一旦この位置にあると、ノッチ又は切り欠き３１４は、ロックプレート３０２がスロット３０４の外にスライドすること、或いは戻されること、さらには保持壁１１６の背後になることを妨げるであろう。
【００６２】
ノーズ３１０は、バックプレート３１６に結合されるか、或いは一緒に形成される。バックプレート３１６は、組み合わされたときに、保持壁１１６の背面に配置されて保持壁１１６上のロックプレート３０２をホールドして支える脚又は保持部材３１８を含む。バックプレート３１６及び保持部材３１８は、保持壁１１６にロックプレート３０２を保持するのを補助する多くの構造を呈してもよい。ロックプレート３０２は、保持壁１１６及びバリア１４０又はバリア拡張部２０６を介して延びるだけでなく、タブ１２２を介して延びるか或いはタブ１２２を用いて延びるように形成されてもよい。
【００６３】
当業者は、穴２０４（図１３）に取り付けられてもよいケーブルロックを含む周知のロッキング機構が本発明に用いられ、さらに周知の鍵、特別な工具、アクセスカード、電気、磁気又は無線手段（鍵不要のロッキング機構用）がロッキング機構を開錠するために用いられることを正しく理解するであろう。
【００６４】
図８に示されるように、本発明の実施の形態は、潜在的な盗難状態の存在を店の従業員或いは警備員に警戒させるシステムを組み込んでもよい。一具体例にあって、バリア１４０を持ち上げること又は動かすことは、全体的に図示しているように、聞き取れる、聞き取れない、赤外線、高周波数、セルラー方式、超音波或いは電気信号（デジタル及びアナログ信号を含む）、或いはこれらの信号の組み合わせであるような信号を提供する機械的或いは電気的な警報装置１４２を作動する。この警報信号は、バリア１４０が開放されたか、普通でない時間長さ開放され続けており、盗難状態が潜在的にあることを店の従業員又は警備員に警告する音、トーン又は声の告知であってもよい。警報装置１４２は、店のページングシステムを通してボイスメッセージを再生するために、ローカル又はリモートストロボ或いは告知灯を起動するため、或いは信号を店のコンピュータ、ページャ、携帯端末、或いは店の従業員や警備員が所持している他の携帯装置のような受信機に送るのに、電気的或いは他の信号を送ってもよい。警報装置１４２は、特定の領域又は周辺を監視するためのセキュリティビデオカメラを起動してもよいし、前記カメラの画像を買い物客及び潜在的盗難者に見せる特定の領域或いは周辺に配置されたモニタを起動してもよいし、前記カメラ画像をウェブ結合、携帯電話、携帯データ端末、或いは他の信号受信デバイスを介して警備管理者或いは店の管理者に送信してもよい。警報装置１４２は、広告、情報告知或いは他のステートメント、或いは声、ビデオ、或いは声とビデオを介して提供される表示を起動してもよい。この広告、告知又はステートメントは、警報装置を起動するバリアの背後の商品に関係する特別な商品又は商品タイプに向けられる。警報装置は、せいぜい一つの商品フェーシングの幅のバリアが持ちあげられたときに警報装置を起動するように配置される。
【００６５】
この明細書にて用いられるように、用語「警報装置」は、警報、警告及び／又はコンディション、状態及び／又は状況を心配する信号を提供するデバイス又は部品を含むことを意図している。警報装置１４２は、配線により店のセキュリティシステムに結合されているか、或いは無線システムにて結合されている。無線システムがもし、用いられると、設置の柔軟性を高められ、さらに既存の棚に電力或いは通信のための配線を設置する必要がなく、容易にシステムが導入できる。加えて、無線システムの使用は、漸進的なシステムの導入を可能とする。例えば、高価値の品目（それによって盗難の増加する可能性にさらされる）或いは買い物客の要求に対する重大なバリエーションを有することを意図した品目は、第１に監視される。無線システムにあって、警報信号は、店の警備システム又はコンピュータにのみ送られるだけでなく、店の従業員や警備員によって所持されるコントローラ、パーソナルデータアシスタント、ページャ或いは携帯電話のような携帯デバイス或いは受信機にも送信される。無線或いは有線システムにあっても、店のコンピュータは、盗難状態が存在するか否かを判断するための警報信号をさらに処理でき、潜在的な盗難状態によって始められる遅延及びアクションを微調整するのはもちろん、商品配置、カメラ配置、警報装置、検出器などを微調整するために分析することができる。当業者によって理解されるように、店のコンピュータはネットワークサーバを構成することができ、ワールドワイドウェブ或いは他のネットワークを介して遠隔的にアクセスされ、さらにワールドワイドウェブ或いは他のネットワークを介して遠隔的に制御される。
【００６６】
一具現化例にあって、警報装置１４２は棚１０４に配置されるか、図８に示すように、棚の下又は上部に配置される。標準的な販売店の棚の既存の取り付け穴が警報装置を棚に固定するために用いられる。警報装置１４２は、バリア１４０の近傍或いは近隣に配置される。警報装置は、多くの技術を通してバリア１４０に操作可能に結合される。一具体例にあって、警報装置１４２は、バリア１４０が動かされたとき或いは開放されたときに起動するプッシュボタンスイッチのようなスイッチ１４４を含む。すなわち、バリア１４０が動き、さらにスイッチ１４４と接触すると、直接的に或いはアクティベータプレート１４５の使用を介して、スイッチ１４４は起動される。代替的に、バリアに接近した位置にあって、スイッチ１４４が押され、バリア１４０が開放位置に動き、バリアがスイッチ１４４から遠ざかって動くと、それによってスイッチ１４４が解放され、警報装置１４２が起動する。
【００６７】
警報装置１４２は、他の方法又は技術を介してバリアの動きを検出するためバリアに操作可能に接続又は連結されている。例えば、動き検出器又は発光ダイオード検出器組み立て体のような類似の知覚デバイス、がバリアの動きを検出し、検出情報を警報装置１４２に通信するために用いられる。検出器は、バリアの動きを検出するためにバリア自体或いはその隣を含む様々な位置に取り付けられる。代替的に、磁気スイッチが、バリアの動きを検出するために組み込まれる。
【００６８】
警報装置１４２は、どのくらいバリア１４０が動かされるか開けられたかを算出する知覚部品及び時間遅延機能を含む。すなわち、バリア１４０がある期間動かされ又は開放されることが、予め決められた時間に達すると、警報装置１４２は前述した信号のような信号を、店の従業員又は警備員及び／又は買い物客に、バリア１４０が長い時間にわたって空きっぱなしにされ、かつ動かされていることを警告し、それによって盗難の可能性を示すために、送信する。一具現化例にあって、前記予め決められた時間の経過具合に応じて、警報装置１４２が前回までのオーディオ警報信号とは異なる信号を含んだ、周辺の注意を引き付けるための、オーディオ警報信号を送信してもよい。警報装置１４２は、それゆえ、静かになる前の固定された時間にわたって警報を提供するように設計されている。
【００６９】
警報装置１４２の他の具体例にあって、オーディオ警報信号は、周波数を変動する様々な警報トーンを提供するため、或いはバリア１４０が長い間、開放され、動かされていること、及び買い物客はバリア１４０を閉鎖しなければならないことを告げるため、或いはサイレントアラームを店の従業員及び／又は警備員に送信するために調節可能である。異なる信号又は周波数は、バリアが開放されるか或いは動かされる時間長さに応じて増加するように用いられる。警報信号の多くの組み合わせが所望の安全レベルに依存して警報装置１４２には可能である。警報信号が調節可能であり、多くの信号の組み合わせが、正当な買い物客を商品の選択及び購入から追い返すのを避けるため、所望の信号レベル及び安全レベルを提供するために用いられる。つまり、例えば、警報装置１４２は、周囲の買い物客又は店の従業員／警備員の注意を引き付けるが、正当な買い物客又は在庫担当者のいらだちを制限するのに十分な短さで、警報信号を提供するためにプログラムされている。
【００７０】
他の具現化例にあって、うんざりする二つの反応が実行される。例えば、バリア１４０が動かされるとき、信号はセキュリティカメラに直接的に、或いは店のコンピュータを介して、或いは両方に送信される。さらに、聞き取れない通知が、警備員に直接的に提供される。バリア１４０が設定された時間だけ開放され、或いは動かされたままであると、盗難の可能性をより明確に示す、付加的なオーディオ警報及びフラッシュライトが起動され、或いは他の警報が起動される。このように、前記反応は、状況により注意深く適合するために構成される。
【００７１】
図１５を参照するように、一具体例にあっては、セキュリティビデオカメラ２６０が盗難品目の危険が高い商品、或いは他の不安な商品の周辺環境に配置される。図１６に示すように、モニタ２６２も危険が高い商品の周辺に配置される。モニタ２６２は、セキュリティカメラ画像を買い物客及び潜在的な盗難者に見せるために用いられる。このように、陳列システム１００の棚１０４から商品を取り出す買い物客又は潜在的な盗難者は、彼らの行動がカメラによって監視され、潜在的に記録されていることを認める。
【００７２】
正しく理解できるように、潜在的な盗難者のセキュリティカメラ２６０に対する位置は、特定の位置にフォーカスさせる指示をセキュリティカメラに提供するために有益である。この配置情報は、セキュリティカメラ用のシステムと同等のセキュリティカメラを店のコンピュータに提供することを含めて、多くの方法によって生成されることができる。セキュリティカメラに対する警報装置１４２の配置は、セットアップの間、及び潜在的な盗難の間に予め決定され、警報装置１４２の配置は、セキュリティカメラの焦点に方向付けられるように用いられる。代替的に、セキュリティカメラは、通路に沿った３点のような、いくつかの位置に焦点を合わせるように構成されており、店のコンピュータは特別な状態のために、どの位置が最も適切であるかを示すことができる。当業者であれば、セキュリティカメラを制御する多くの方法が存在するので、説明された方法が例示であることを正しく理解できる。
【００７３】
損失を防ぐそのようなシステムの実用性に加え、モニタは広告又は買い物客への情報の形でビデオを見せることができる。図１７に示すように、モニタ２６２は、広告又は買い物客への情報と、ビデオスイッチ２６４の使用を介してのカメラ画像を、切り換えることができる。このスイッチング機能は、３０秒ごとのような、周期的に働くか、或いは、バリア１４０の持ち上げ、商品の除去、プッシャの移動のような所定の条件が発生したとき、或いは買い物客がその領域に入るか接近するかしたことを近接検出器からの入力があるときに発生してもよい。ビデオ部分の再生によって、警報装置は損失を低減するだけでなく、広告が陳列システム上にメッセージを載せるのに料金を請求すると、利益源にもなる。
【００７４】
広告、買い物客への情報或いは他のコンテンツを見せるようなモニタ用の第２のビデオソースは、ビデオカセットレコーダ、コンパクトディスクビデオプレーヤ、ソリッドステートビデオプレーヤ、ダイレクトビデオ、オーディオフィード或いは他のビデオソースのようなビデオプレーヤ２６６である。スイッチ２６４に関して、警報カメラ画像と広告又は他のコンテンツとの間の切り換え機能は、ハードウェハタイマ或いはスモールマイクロコントローラによって制御される。一具体例にあって、第２のビデオソースは、前記タイマ或いはマイクロコントローラによってランダムに或いはノンランダムに切り換えられる複数のビデオセグメントを含むことができる。カメラ２６０は、小さく、独立型、既存のセキュリティシステムのいかなる部分に結合されていなくともよいし、或いは店のセキュリティネットワークに存在している典型的な店のセキュリティカメラであってもよい。モニタ２６２は、小さなフラット、カラー、ＬＣＤタイプモニタであってもよいし、棚１０４上又は近くの多くの場所に配置されることができる。例えば、モニタは、売りに出される商品上のオーバーヘッド看板に配置されてもよいし、或いは棚１０４端に取り付けられてもよい。いくつかのアプリケーションにあって、ＣＲＴタイプ、プラズマ、ＬＣＤ或いはプロジェクションモニタのような大きなモニタが用いられる。好ましいソリッドステートデジタルビデオプレーヤは、第２のビデオソースを含んでもよい。ビデオソースは、モニタと同じ筐体に収容されても、或いはモニタから離れていてもよい。
【００７５】
図４及び５に戻って参照すると、他の具現化例にあって、商品が置かれている棚は、「引き出し」棚であってもよい。「引き出し」棚は、店の従業員に、棚への補充をするために商品へのアクセスをさせるが、そのようなアクセスによる盗難を盗難者にさせない。引き出し棚は、棚上の全ての商品へのアクセスを容易とする。しかし、この機能は、買い物客又は盗難者によって移動可能でない棚を要求するので、引き出し機能は、キーロック、スペシャルツール、又は他のロッキング機構によって保護されなければならない。この具体例によれば、商品デバイダ１１０は、棚上の最も高い商品パッケージの高さに少なくとも等しいように設計される。棚１０４が引っ張られると、商品レーン又はデバイダは、バリア１４０を起立させる。バリア１１０の高さが最も高い商品パッケージよりも低いと、棚を押し戻すことが、バリア１４０を商品パッケージ上でひっかかるようにし、バリア１４０の閉鎖位置を戻すことをより困難にする。さらに、棚１０４を引き抜くことは、表示器または信号発生器を前述したように起動するバリア１４０を持ち上げる。
【００７６】
図９を参照すると、一具現化例にあって、棚の最上段上に配置されたバリアは、在庫品又は付加的なディスプレイシステム１００の部品の収納に用いられる、ロックボックス１０８を含んでよい。棚１０４の最上段が引き出しタイプの具現化例にあって、棚１０４は、商品が容易にアクセスされるように、棚１０４上の水平バリアが所定の位置に置かれているままである間、引き出されるであろう。前述したように、ロックボックス１０８は、周知の技術をとおして、垂直の支柱１０２に取り付けられてもよいし、陳列システム１００上のいずれかの位置に取り付けられてもよい。ロックボックス１０８は、鍵又は鍵無しでロックボックス１０８をあけるいかなる周知のロッキング機構を用いてもよい。当業者は、セキュリティカメラ、及び二、三の、他の警報装置１４２などを含め、他のセキュリティ部品をロックボックス１０８に取り付けることができるのを正しく理解するであろう。
【００７７】
一具現化例にあって、固定された幕１８０が商品陳列システム１００の上部に向けて配置されてもよい。前記幕１８０は、セキュリティ及びグラフィックの装着を提供し、商品がその中に格納されてもよい。幕１８０は、商品の上部ポイントから商品へのアクセスを妨げる上部壁又はバリアとして機能するという点で、セキュリティを提供する。幕１８０は、既存の棚に取り付けられてもよい。幕１８０は、固定或いは調節可能とされてもよい。調節可能な幕であれば、幕は商品陳列システム上の多くの場所に配置されることが可能である。加えて、幕１８０は、前述の具体的な引き出し棚１０４と同様の方法で機能する引き出し幕でもよい。さらに、幕１８０は、商品を保管するための棚の役割を果たしてもよい。言い換えると、商品陳列システム１００は、商品を保管するか陳列するための棚の機能を果たす複数の幕１８０を備えることができる。さらに、前記膜は、多くの周知の取付技術を通して、バリア１３０、１４０を取り付けるように構成されることができる。一具体例にあって、図９に示されるように、ロック可能なドア１０９を有するロックボックス１０８は、付加的な商品保管及びグラフィック配置用に幕１８０上に配置されてもよい。
【００７８】
本発明の商品陳列システム１００は、様々な安全及び盗難防止のレベルを提供する。本明細書にて説明される各レベルは、別個に用いられ、さらに様々な又は全てのレベルは相互に関連して用いられてもよい。各レベルは、既存の棚システムに追加されても、適用されてもよく、さらに独立型システムとして提供されてもよい。前部保持壁１１６又は「フェンス」は、保持タブ１２０と共に或いは用いずに、安全を提供する。保持壁１１６を超える棚１０４のバリア及びアクセスドア１３０、１４０は、安全を提供する。棚の下に配置された商品を覆う棚１０４の閉鎖位置は、安全を提供する。バリア１４０が設定された時間の間開放されるとき、警報装置１４２によって生成された、聞き取れる或いは他の信号は、安全を提供する。セキュリティカメラ及びビデオ及びディスプレイデバイスは、安全を提供する。本発明の一具体例のこれらの個別のアスペクトのそれぞれは、小売設定における固有のアスペクトのそれぞれで用いられるか、或いは具現化例の他のアスペクトとの関連にて用いられる。各個別のアスペクトは、そのような既存のシステムへの一つ以上の安全レベルを効果的に取り付け、さらに追加するために、既存の棚又は陳列システムに追加されてもよい。
【００７９】
本発明の一つの具現化例は、盗難防止の様々なレベルを特徴づける。一つのレベルは、商品の一掃を防ぐことを支援する。プッシャ１２６、デバイダ１１０及び保持壁１１６は、商品に安全を提供するために商品の上にて、棚１０４或いはバリア１３０、或いは両方に結合される。プッシャ、デバイダ、保持壁、棚、及びバリアは、陳列システムの正面から一度に隙間を介して約１、２或いは３つのパッケージが取り出されるのを許容する。第２の保持壁又はタブ１２２は、特別な商品列用に個別の安全を提供するために用いられる。前記前壁１１６及びタブ１２２は、それらを通って延びる穴又は開口部をも含む。前記保持壁１１６及びタブ１２２は、棚から商品を取り出すのに、買い物客に穴又は開口部を介して商品を押させることを要求する。
【００８０】
第２の安全レベルは、第１レベルの全ての特徴にバリア１４０又はアクセスドアを組み合わせる。商品にアクセスするため、買い物客は、一本の腕でバリア１４０を持ち上げるかスライドし、他の一本の腕で商品を取り出すため、二本の腕を用いなければならず、このようにして陳列システムに盗難抑止の第２のレベルを追加する。
【００８１】
安全の第３のレベルは、警報装置１４２や、他の信号伝達デバイスのような、盗難警報通知デバイスの追加によって第１及び第２のレベルの特徴を高めてなる。警報通知又は信号伝達は、バリア１４０又はアクセスドアが所定の時間開放されたときに起動される。このときの遅延は、いくらでも持続調整されるし、また削減される。この警報通知は、買い物客及び／又は店の従業員及び警備員にバリア１４０が特定の時間開放されたことを通知する、可聴、不可聴、赤外線、高周波、電気、又は携帯電話の信号を提供する。前記信号の伝達は、信号を店のコンピュータ或いは従業員或いはセキュリティカメラ又はモニタに送信する。前記信号は、店のコンピュータ又は従業員にバリア１４０又はアクセスドアが特定の時間開放されたことを通報し、セキュリティカメラ及びモニタを商品の前の盗難者自身にかれらの画像を見せるために起動する。この画像は、記録される。付加的な警報通知又は信号伝送が、前記バリア及びアクセスドアが開放されるだけ時間を増加して作動される。
【００８２】
買い物客又は店の従業員による盗難抑制の追加的なレベルは、棚を引き出すことから権限の無い従業員を制限するための、棚１０４上のロッキング機構の使用である。この陳列システムは、棚の前方或いは底面に隠されたアクセススロットに挿入される、鍵又は共通でない或いは共通の形状とされる器具の使用を要求する。この方法は、前記ロックを解除するための棚操作の特別な知識を操作者に要求するように設計されている。一具現化例にあって、棚１０４上のバリア１４０又はアクセスドアは、棚が引き出されたときに目的物を再充填するために自動的に持ち上げられ、その後、棚が閉鎖位置に戻されると再度閉鎖される。このアプリケーションにあって、オーディオ警報が、棚に商品が再補充されたという指示を組み込んでもよい。
【００８３】
さらに、一具現化例にあって、固定幕１８０は、商品陳列システム及び管理システムの上部に向けて配置されてもよい。この幕は、商品上部から商品へのアクセスを禁止することによって安全を提供する。さらに、ロックボックスが、キーロック又は他のロッキング機構によって安全とされる追加商品を格納するため商品陳列システム及び管理システム上のいずれにでも配置される。
【００８４】
本発明の一具現化例にあって、本発明の様々なアスペクトが既存の棚の部分に追加される。いくつかの状況にあって、多くの商品の陳列の間に、一つ、二つ、或いは少数の盗難の可能性の高い商品のみがある。本発明のアスペクトは、もっぱら盗難の可能性の高い商品に関する棚管理及び陳列システムの一部に適用される。例えば、バリア１４０は、もっぱらそのような盗難の可能性の高い商品に対して配置される。さらに、商品の一掃（sweeping）又は他の盗難をも抑止するために、側壁が商品の一つ以上のサイドを覆うように配置される。本明細書に記載された前方バリア、ロッキング機構或いは他のアスペクトは、陳列される盗難の可能性の高い商品又は他の高い実際的な価値のある商品にのみ用いられ、同じ陳列における他の商品には用いられない。一具現化例にあって、実際的な価値のある商品の特定の群は、同じ陳列内にて他の商品から効果的に区別されている。この特定の実際的な価値のある商品群は、陳列における残りの商品には用いられることのない、本明細書にて説明される付加的なセキュリティアスペクトを必要とする。
【００８５】
図２８及び２９を参照すると、後部壁１０６に選択的に取り付けされてもよい調節可能な電力供給棒状部４００が示されている。電力供給棒状部４００は、ビデオモニタ、セキュリティカメラ、照明、光照射される看板、オーベーヘッドの照明、ラジオ、ステレオ、或いは棚又は商品陳列に取り付けられ、電力を必要とする他の部品を含む、棚に取り付けられる様々な部品に電力を供給する。図に示したように、電力供給棒状部４００は、棚の取り付け又は調節の障害を引き起こすことなく、棚の高さの変更又は調節を許容するいくつかの位置の間で選択的に調節可能である。
【００８６】
一般的に、電力供給用出口は、棚に取り付けられ、移動は困難であった。実際に、電力供給用出口をそれらが取り付けられたトラックからアンロックし、その後に移動することはかなりの労力を要求した。他の周知のアプリケーションにあって、埋め込まれた電力トラックを含む照明用のトラックと同様に電力供給用出口は、電導トラックに取り付けられていた。これらのトラックタイプシステムにあって、電力供給用出口は、正しい場所に配置されること、及びスナップはめ込みを要求していた。一旦、取り付けられると、電力供給用出口は、スライド可能ではなかった。
【００８７】
本発明の電力供給棒状部４００は、これらの課題及び他の周知の課題を、背面壁１０６のような、ディスプレイに容易に取り付けられ、棚の位置に合わせて変更されるのを許容するように調節可能な商品ディスプレイのための、電力ソースを提供することによって解決する。電力供給棒状部４００は、ディスプレイの背面壁１０６に取り付けられてもよい細長い本体４０２を備える。図示されるように、電力供給棒状部４００は垂直な仕様で取り付けられてもよいし、細長い本体４０２は商品ディスプレイの全体的な高さを拡張しても、或いは商品ディスプレイの全体の長さよりも代替的に短く拡張してもよい。電力供給棒状部４００は、おおよそ同一の垂直高さに配置されるか、商品棚との干渉を避けるため、或いは取り付けられた商品棚の再位置合わせのために十分な距離だけ、スライド可能に移動（方向矢印４０１で示すように）してもよい。電力供給棒状部４００は、電力供給棒状部４００の複数の位置に構成される一つ以上の電力供給用出口を含む。一旦、所望の配置とされると、図示しない、留め具が、調節スロット４０６を介して、電力供給棒状部４００を前記背面壁１０６に所望の高さで固定するために、配置される。調節スロット４０６は、電力供給棒状部４００のさらなる調節を可能とするために細長くされる。
【００８８】
細長い本体４０２は、電力を電力供給用出口４０４へ供給するために用いられる導線４１０を通す細長い中空の空洞４０８を有する。細長い本体４０２は、前記本体４０２の中であり、さらに本体の両側に沿って形成された窪んだチャンネル４１２を含む。前記チャンネル４１２は、電力供給棒状部４００を本体４０２の上で受け、さらに整列するための受容部として用いられる。電力供給棒状部４００は、一つの部品から他の部品に相対的にスライド可能に動かされるような、さねはぎの使用でチャンネル４１２上又は内部に結合されてもよいし、他の適切な取り付けにより結合されてもよい。一旦取り付けられると、電力供給棒状部４００は、本体４０２内又はチャンネル４１２上に相対的にスライドされる。
【００８９】
図３４乃至５９ｄは、支柱に直接固定されてもよい箱型棚の具体例を示す。図示されるように、箱型棚は、前述のような小売の配置へのより直接の取り付けを可能にし、盗難防止効果を提供する完全なユニットとして提供されることができる。正しく理解されるように、一具現化例にあって、箱型棚は、サポート棚の必要がないように、自律的に収納されるように構成される。
【００９０】
図３４乃至３６を参照すると、箱型棚３４０５は、ハウジング３４０８を一緒に形成するために結合される上部３４２０及び二つの側部３４２２を備える。凹部３４２１は、箱型棚３４０５が棚の下に取り付けられるように提供され、凹部３４２１は、棚或いは下方向に延びる（図示しない）他の構造をサポートするブラケットへの障害がないのを保証するのを支援する。一つ以上の棚サポート３４３０は、従来の方法にて垂直なサポート（図示せず）に取り付けられるのを可能にするように箱型棚３４０５に取り付けられる。
【００９１】
スライド可能な棚３４１０は、側部３４２２によって少なくとも部分的に支持される一つ以上のトラック３４１６に取り付けられる。図示されるように、スライド可能な棚３４１０は、デバイダ３４１８（プッシャ或いは単純なデバイダであってもよい）サポート表面３４１２を含み、棚３４１０の前部に取り付けられるレール３４４５も含む。レールは、次に保持器をサポートする。
【００９２】
図示されるように、一つ以上のハンドル３４２６が付いたドア３４２４は、ヒンジシステム４０１０を通して上部３４２０に取り付けられるし、ドアが開放されるときに可聴トーン（すぐに或いは所定の遅延の後に）を作り出す構成とされ、さらに信号を遠隔装置に提供して、ビデオ撮影又は警備員へのトリガーを生み出すように構成される、制御ユニット３５１５に結合される。
【００９３】
スライド可能な棚３４１０は、ロッキング特徴部３５２５が作動されると、トラック３４１６を介して移動される。適切に理解されるように、スライド可能な棚３４１０を移動させるため、ドア３４２４は、開放され、一具現化例にあっては、図示されるように、ドアは最大で９０°に開放される。適切に理解されるように、レール３４４５は、箱型棚３４０５の上部３４２０に取り付けられる。
【００９４】
図１乃至３３に関して前述のように考察した詳細は、図３４乃至５９に示される具現化例にも、適切に組み込まれることを理解すべきである。このように、妥当な及び／又は適切な、前述の詳細が組み込まれる。
【００９５】
図３７ａ及び３７ｂは、ロックされた及びブロックする位置及び開放する及びブロックしない位置におけるロッキング特徴部３５２５を示す。一具現化例にあって、口縁部３５４７における開口は、ロッキング特徴部３５２５をロックされた位置から開放位置に送るために鍵が挿入されるのを許容する。このため、正しく理解されるように、ロッキング特徴部３５２５は、多くの図にあってブロックされた及び開放位置の両方で示される。
【００９６】
図３８に示されるように、一つ以上の箱型棚３４０５が相互の上部に載せられている。そのような構成にあって、経路３８１０は、鍵（図示せず）の挿入によって、ロッキング特徴部３５２５を作動させる。
【００９７】
図３９から正しく理解されるように、ドア３４２４は支持部３９２５に旋回するように取り付けられる。さらに、ハットチャンネル３９１５は、箱型棚３４０５の付加的な強度及び剛性を提供する。ハットチャンネル３９１５は、ロッキング特徴部３５２５及び／又は一つ以上のトラック３４１６を支持するために用いられてもよい。図示されるように、二つの棚支持部３４３０（適宜、ブラケットとして言及する）は、後部パネル３９４０に取り付けられ、さらに垂直支持部の位置が積み重ねを許容するいくらかの角度を含むように、調節可能な方法にあって垂直支持部に箱型棚が載置させるように、スロットを含む。棚支持部３４３０は、棚構造の一つ以上の垂直レール（図示せず）に結合されることができる。
【００９８】
図４０ａ乃至４７は前記箱型棚の示された具体例の他の詳細を示す。前記箱型棚は、パウダが被着された１８標準寸法のスチール或いは他の適切な材料のような、周知の材料から組み立てられることが理解されるべきである。図４８ａ乃至４８ｃは、支持部表面３４１２の具現化例を示す。図４９乃至５１から正しく理解されるように、棚部の中心（或いはロッキング特徴部３５２５に整列される他の配置における）にて、縁部３５４７はブロッキング縁部４９１０を含むが、ブロッキング縁部４９１０は他の配置にあって要求されなくてもよく、これによりサポート部表面３４１２を形成するために用いられる材料量が低減されてもよい（必要ではない）。
【００９９】
図５２ａ乃至５４ｆは、ロッキング特徴部３５２５の一つの具現化例を示す。図５２ａ乃至ｃは、部分分解図及び取り付けられた位置の両方を示す。図示のように、ヒンジプレート５２１５は、ナット５２４０に連結される留め具５２３０によってヒンジベースプレート５２２５に取り付けられる。偏倚部品５２３５はヒンジプレート５２１５を第１又はロック位置に向ける。したがって、ヒンジプレート５２１５ａは、ロックされる位置にあり、ヒンジプレート５２１５ｂは開放位置にある。しかし、正しく理解されるように、ヒンジプレート５２１５をヒンジベースプレート５２３５に取り付けるための多くの他の方法が可能である。
【０１００】
図５４ａ乃至５９ｄは、箱型棚３４０５のロッキング特徴部３５２５、棚支持部３４３０及び他の部品の具現化例に関する他の詳細を示す。
【０１０１】
図６０乃至７３は、本発明の他のアスペクト、つまり商品の販売を向上する低側面型棚システムを示す。低側面型棚システムは、大きな商品を収納するために棚の間に広い空間を形成することによって商品販売を向上する。大きな商品のセクションがある、いくつかの店にあって、前述したような、商品管理システムは、一つのシステムに追加する棚の間に十分な高さ（つまり、空間）が無いので、使用されるのに最も理想的なシステムではない。これらの例にあって、商品は、前述したような、商品が棚にぶつかるように商品を持ち上げるような、商品管理システムに加える棚の間がとても狭いなかで販売される。小売業者は、商品管理システムを組み込むために棚を喜んで調節するわけではない。なぜなら、そのような棚調整は、一般的に固定されたインクリメント（例えば、１インチインクリメント）で行われなければならず、そのようなインクリメントによって棚を動かすのは、ときおり、上部棚のような一つの棚の望ましくない除去を導いてしまう。
【０１０２】
図６０乃至７３に示すように、本発明は、低側面型棚支持部６００を用いることによってこの課題を解決する。各低側面型棚支持部６００は、後部６０２及び前部６０４を有する。後部６０２は、そこに取り付けられる留めプレート６０６を含み（図７２）、各留めプレート６０６はスロットの形成された支柱（図示せず）に挿入される少なくとも一つのフック構成部６１０を有する。留めプレート６０６は、留め具６２３の使用を通して棚支持部に固締される。代替的に、後部６０２は、少なくとも一つのフック構成部６１０を形成してもよい（図６０）。図６０に示すように、棚支持部６００の後部６０２は、実質的に前部の厚さよりも大きい厚みを有し、結果的に前部６０４は、棚支持部６００の後部より著しく低い側面を有する。前部のこの低減された側面は、結果として、大きな商品を収容する商品棚の間に大きなクリアランスをもたらし、さらに明細書にて説明されている商品管理システムの設置をもたらす。一具現化例にあって、後部６０２の厚さは、前部６０４の厚さよりも７５％ほど厚い。前部及び後部の他の厚さは、所望の低側面型棚支持構造を形成するためにも可能である。
【０１０３】
図６１及び７３を参照すると、棚保持部６００が棚６１４の下に配置され、棚６１４に固定されている。プッシャシステム６１６は棚６１４に取り付けられている。プッシャシステム６１６は、プッシャトラック６１８及びプッシャ６２０を含む。これまでに説明されたプッシャシステムは、低側面型棚保持部６００に用いられる。さらに、商品デバイダ６２５が棚６１４に取り付けられるか、本明細書に説明されるように或いはプッシャシステム６１６の一部を形成する。
【０１０４】
図６０、６３及び６４を参照すると、回動可能なバリア６４０及び前部商品保持壁６４２が、棚６１４の前方に取り付けられる前部レール６４４に取り付けられている。前部レール６４４は、一つ以上の保持壁６４２又は販売される商品を識別する標識を受容するための一つ以上のチャンネル６４５を備える。前部レール６４４は、スライド可能或いは不可能な方法のいずれかにて、プッシャシステム６１０を受容するために構成されてもよい。バリア６４０は、これまでに説明されたバリアと同様に構成される。同様に、保持壁６４２は、これまでに説明された保持壁と同様に構成される。
【０１０５】
図６２乃至６５を参照すると、警報装置６５０が後部６０２で或いは近くで棚６１４に取り付けられる。警報装置１４２と同様に、警報装置６５０は回動可能なバリア６４０が動かされるか開放されるのを検出するために用いられ、適切な警報信号を前述したように送信する。この具現化例にあって、開放デバイス６５０は、回動可能なバリア６４０（図６４）と操作可能に接触するリンケージ６５４によって作動されるスイッチ６５２を備える。このリンケージ６５４は、金属又はプラスチック棒又は適切な材料のフラットなストックであってもよい。この具現化例にあって、前記バリア６４０は前部レール６４４に取り付け可能なカム形状の端部６４１を図６４に示すように備え、カム形状の端部６４１は、回動可能なバリア６４０が回動されたときにリンケージ６５４に接触しさらにリンケージ６５４の動きを引き起こすように構成される。リンケージ６５４は、順に、警報装置６５０を作動するために警報装置６５０（図６５に示すように）のスイッチ６５２に接触する。警報装置６５０は、所望の警報信号を送信或いは発生する。リンケージカバー６６２は、リンケージ６５４を覆いさらに保護するためにリンケージ６５４に取り付けられる。
【０１０６】
図６６乃至６９を参照すると、セキュリティ箱型棚６７０が低側面型棚保持部６００（或いは垂直な支柱に）及びプッシャシステム６１０に固定される。箱型棚６７０は、前述したような盗難防止効果を提供する完全なユニットとして提供され、さらに支持棚の必要性を排除する独立型として構成されてもよい。箱型棚６７０は、箱型棚６７０にあって商品が見られるのを許容するために透明材料にて形成される上部６７２を含む。箱型棚６７０は、箱型棚６７０を共に形成するように一体にされる二つの側部６７４及び後部壁６７６をも備える。前部セキュリティレール６７８は前記上部６７２に取り付けられてもよい（図６９に示すように）。セキュリティレール６７８は、回動可能なバリア６４０を受けいれるようにも構成される。回動可能なバリア６４０は、前述されたバリアと同様であってもよいし、箱型棚６７０内の販売される商品にアクセスを許容するために開放されてもよい。前記回動可能なバリア６４０には警報装置が操作可能に取り付けられてもよい。
【０１０７】
図７０乃至７１を参照すると、任意の看板６９０が低側面型棚支持部６００によって支持される棚６１４に取り付けられている。一つ以上の看板支持部６９２が看板６９０を支持するために用いられる。看板支持部６９２が、看板６９０の安定性の追加のために一つ以上の水平取り付けブラケット６９４に取り付けられている。
【０１０８】
図７２及び７３を参照すると、棚のサイズ及び構造に依存して複数の低側面型棚保持部６００が棚６１４の下に配置されているのを、理解すべきである。さらに、複数のプッシャシステム６１６及びデバイダ６２５が棚上の複数の商品列を販売するために配置されることも理解すべきである。
【０１０９】
図７９乃至９１は、本発明の他のアスペクト、つまり販売システム８１０を示している。他の具現化例と同様に、販売システム８１０は、商品が販売棚の前端に向って押し出されるときの進み具合を遅くするような様々な方法を用いることにより、商品が例えば販売棚から取り出される数及び繰り返しを制限することによって商品販売を向上する。
【０１１０】
図７９乃至８４を参照すると、一具現化例にあって、販売システム８１０はベース８１２を備える。ベース８１２は、周知の取り付け構造及び適合にあって、他の販売システム８１０と同様に、店にて用いられるいかなる周知の棚上に係合されても、あるいは取り付けられてもよいように全体的に平坦な平面を有している。ベース８１２は、前端８２６、後端８２８、第１側端８２０、第２側端８２２、及び一つ以上のトラック８１４を有している。さらに示されているように、ハウジング８５０は、ベース８１２に、周知の取り付け構造及び適合にあって、取り付けられている。ハウジング８５０は、上部壁８５２、第１側壁８５４、第２側壁８５６、及び前部保持壁８７６を備える。第１及び第２側壁８５４及び８５６は、それぞれ、一つ以上の販売システム８１０が、他の同様の販売システム８１０に隣接して棚に配置されたとき、或いは他の同様の販売システム８１０の上部に配置されたとき、それぞれの販売システム８１０のベース８１２上に載置される商品が個別にあるいは分離されたままであるように、用いられる。一つの具現化例にあって、一つの販売システム８１０は、他の販売システム８１０の上部に、二つの販売システムの間で棚を分けることなく、積み重ねることができる。
【０１１１】
一具現化例にあって、前部保持壁８７６は、ベース８１２に対してある角度（例えば、約４５°角）で取り付けられ、さらに第２側端８２２から第１側端８２０にひろがって、前部端８２６に向って延びる。約１５°、３０°、６０°及び７５°等などを含め、約４５°とは異なる角度も可能である。前部保持壁８７６は、ベース８１２の近傍に配置されるチャンネル８８８を有する。チャンネル８８８は、さらに戻り止め８８６を備える。前部保持壁８７６及び第１側壁８５４は、下記にあって説明するような、商品が買い物客又は従業員によって取り出されるときに通る隙間８７８を有する。一具現化例にあって、前部保持壁８７６は、第２側端８２２から第１側端８２２に完全には延びない。レバー８８０が隙間８７８を介して商品を排出するために販売システム８１０に操作可能に結合されている。一具現化例にあって、レバー８８０はチャンネル８８８内にスライド可能に取り付けられている。レバー８８０は、レバー偏倚部品８８２及び商品を動かすために適用されるレバーフック８８４を含む。図示されるように、レバー偏倚部品８８２は、レバーフック８８４と戻り止め８８６の間に配置されるコイル型バネである。一つ以上のトラック８１４がベース８１２に沿って後端８２８から前部保持壁８７６まで延びる。図示するように、トラック８１４は、プッシャ８１６と共に用いられる。固有のアプリケーションに依存して、二つより多くの或いは一つのトラックが本発明に用いられるのを理解すべきである。ベース８１２は、さらにラック開口９８８を、後述するラック９８６の使用のために有する。
【０１１２】
図８８及び８９を参照すると、一具現化例にあって、一つ以上のトラックが長手方向にベース８１２の長さに沿って延びており、ベース８１２における少なくとも一つのレール８３０及び細長いい開口又はチャンネル８３２を特定する。前記開口８３２及びレール８３０は、プッシャ８１６のかみ合わせ部品を受容し取り付けるようなサイズ及び形状とされる。プッシャ８１６は、プッシャ８１６がトラック８１４から外れないようにベース８１２にスライド可能に取り付けられる。本発明は、プッシャ８１６をベース８１２に取り付けるために、レール及び開口の他の形状の使用を意図する。他のプッシャ取り付け技術が本発明には可能である。
【０１１３】
プッシャ８１６は、プッシャ８１６を棚の前部に向けて押し付けるための少なくとも一つのプッシャ押し付け部品８６０を含んでいる。プッシャ押し付け部品８６０は、制限するものではないが、フラットコイルスプリングを含む、偏倚部品であってもよい。本発明は、一つ以上のプッシャ押し付け部品８６０を、所望のアプリケーションに依存して、プッシャ８１６を押すために使用してもよい。プッシャ押し付け部品８６０は、周知の取り付け技術を使用してプッシャ８１６及びベース８１２に取り付けられてもよい。具現化例にあって、プッシャ押し付け部品８６０の一端は、ベース８１２の前端８２６近くのベース８１２に固定され、プッシャ押し付け部品８６０の反対側端部は、プッシャ８１６を棚の前に向けて押しつけるためにプッシャ８１６の背後に配置される。さらに、プッシャ８１６は、角度が付けられたプッシャフェース８９２を含む。具現化例にあって、角度の付けられたプッシャフェース８９２は、ベース８１２に対するその角度が前部保持壁８７６の角度に対応する。しかし、角度が付けられたプッシャフェース８９２は、他の角度で配置され、さらに様々な寸法及び形状にて配置されることが理解されるべきである。
【０１１４】
図８５及び８６にて、本発明の具現化例を参照すると、プッシャ８１６は商品を前部保持壁８７６に向けて押し付ける。商品が前部保持壁８７６とプッシャ８１６との間に配置されると、隙間８７８が二つの商品の幅よりも狭い寸法とされるので、単一の商品のみが買い物客又は従業員によってアクセスされる。一具現化例にあって、隙間８７８は、単一商品の幅より約５０％広いだけである。他の具現化例にあって、前記隙間８７８は、隙間８７８を通して単一商品を通せるのに十分なだけの幅ではあるが、おおよそ単一の商品の幅である。商品の前部保持壁８７６に対して商品がプッシャ８１６によって押される正の圧力との合成にあって、隙間８７８の配置及び寸法は、指を使っての或いは指の力を用いての、買い物客又は従業員の商品を取り出す能力を阻止する。単一の商品の取り出しを容易とするために、商品が前部保持壁８７６とプッシャ８１６との間に配置されるとき、レバー８８０がスライド可能に動かされるように力がレバー８８０に適用される。レバー８８０がスライド可能に動かされると、レバーフック８８４は配置された商品をもっとも前方に向けて接触させる。買い物客又は従業員がレバー８８０を完全に拡張される位置までスライド可能に動かすと、単一の商品が部分的にハウジング８５０から排出され、さらに買い物客又は従業員により容易に取り出される。さらに、レバー８８０が完全に拡張された位置にあると、レバー偏倚部品８８２は、レバーフック８８４と戻り止め８８６との間に圧縮される。つまり、買い物客又は従業員がレバー８８０に力を適用するのをやめると、レバー偏倚部品８８２は、レバー８８０を後ろへ、元の位置に偏倚する。
【０１１５】
下記に説明する具体例にあって、買い物客又は従業員が彼らに可能な商品に到達及び取り出すと、プッシュ８１６は、プッシャ押し付け部品８６０によってゆっくりと前部保持壁８７６に向けて押し付けられ、所定の時間の後、単一の商品がもう一度、プッシャ８１６と前部保持壁８７６の間で、その商品が隙間８７８の近くにあるように、ポジティブに押圧される。買い物客或いは従業員による、第１の商品が取り出された後の、次の商品への取り出し或いは押し付けの試みは、次の商品が角度の付けられたプッシャフェース８９２に対応して角度の付けられた配置とされ、さらに、買い物客又は従業員が商品を前に向けるように傾けると、前記次の商品は第２の側壁８５６によって簡単に移動できない位置に偏倚されて、阻止される。プッシャが動く速度は、制限はされないが、以下に考察される制動ギア組み立て体を含む様々なデバイスによって制御される。商品を前方にゆっくりとした速度比で押し付ける販売システムを提供することによって、買い物客又は従業員は、一度に一つ以上の商品を取り出すのを禁止され、所定の時間毎に一回の商品の取り出しのみをアシストする。
【０１１６】
本発明の一具現化例にあって、プッシャ８１６に所望の速度比を提供するため、具体的な制動ギア組み立て体９８０がプッシャ８１６に取付られる。制動ギア組み立て体９８０は、ギア９８２及び本技術分野にあって周知の制動流体によって満たされたギアハウジング９８４を備える。ギア９８２の一部は、ギアハウジング内に収容されている。ラック９８６は、ラック開口９８８に取り付けられている。前記ラック９８６は、複数の歯９９０を備えている。ギア組み立て体９８０のギア９８２は、ラック９８６の複数の歯９９０と噛み合うように調整されている。動作中にあって、商品がベース８１２から取り出され、さらにプッシャ８１６がプッシャ押し付け部品８６０によって前方に押し付けられると、ギア組み立て体９８０はプッシャ８１６が前方に押し付けられる速度比に速度を落とすように作用する。これは、ギア９８２の回転がギアハウジング９８４に配置された制動流体によって制動されることによって達成される。前記制動流体は、ギアハウジング９８４内のギア９８２の動きに抵抗するように作用する。他の制動技術が、棚の前部に向けてプッシャの動きの所望の低速比を可能とするため本発明にあって用いられる。
【０１１７】
一具現化例にあって、前部保持壁８７６は、商品が前部保持壁８７６を通して視認可能であるようにクリアな或いは透明な材料にて形成される。一具現化例にあって、前部保持壁８７６は、前部保持壁８７６に広告又はマーケティング材料が配置されるのを可能にする。ベース８１２は、商品価格情報のような商品情報はもちろん広告又はマーケティング材料のために、ディスプレイエリア９９９（図７９参照）をも備える。ディスプレイエリア９９９は商品情報を含むことができるので、前述したように、販売システム８１０は、棚を用いなくとも他の同様の販売システム８１０の上に積み重ねられる。
【０１１８】
一具現化例にあって、ロッキングデバイス（図示せず）は、商品の取り出しを防ぐために用いられることができる。そのようなロッキングデバイスは、回動可能なバリア、ロッキングクリップを備えてもよい。前記ロッキングデバイスは、前記販売システム８１０が使用されていないとき、従業員或いは買い物客のいずれも商品にアクセスできないように、例えば、隙間８７８を通してのフィッティング（fitting）から商品を保護できる。
【０１１９】
第１側壁８５４及び第２側壁８５６が逆にされて、隙間８７８が反対側になると、販売システム８１０が警告されることを理解すべきである。当業者には理解されるように、この具現化例にあって、角度の付けられたプッシャフェース８９２、前部保持壁８７６、及びレバー８８０は、特に、反転される。
【０１２０】
図９０及び９１を参照すると、他の具現化例にあって、ハウジング９５０は、上部壁９５２、第１側壁９５４、及び反対側の第２側壁を備える。ベース８１２の前端は、レール９２４に周知の方法により、取り付けられるように構成される。前述したように、ベース８１２は、ギア組み立て体が複数の歯９９０にかみ合わせられるように適合されるように、ラック及びラックが複数の歯９９０（図９０及び９１に示すように）を有するラック開口を備えてもよい。レール９２４は、前部保持壁９７６をレールに向けて押される商品を保持するために備える。前部保持壁９７６及びハウジング９５０は、一つの商品の幅におおよそ等しい隙間９７８を定義する。プッシャ９１６は、レール９２４に向けて商品を押し付ける。一つの販売システム８１０が一つの棚の他の同様の販売システム８１０の近傍に配置されると、商品は前記隙間９７８の上部９７９を通してのみ取り出される。すなわち、商品が前部保持壁９７６とプッシャ９１６との間に位置されると、一つの商品のみが買い物客又は従業員によってアクセスされる。レバートリガー（図示せず）のような一つのデバイスが買い物客又は従業員に、隙間９７８の上部９７９を通して商品を部分的或いは全体的に押し出させるのを容易にするために用いられるのも理解されるであろう。
【０１２１】
前述された具体例のバリエーション及び改良が本発明の範囲内にある。本明細書にて開示され、さらに定義された発明は、記載された説明及び／又は図面にて言及され、或いは容易である、固有の特徴及び二つ以上の固有の特徴の全ての代替的な組み合わせに拡張されることが理解されるであろう。これらの異なる組み合わせの全ては、本発明の様々な代替的なアスペクトを構成する。本明細書にて説明された具現化例は、本発明の実行のためのベストモードを説明しており、当業者に本発明の実施を可能とさせるであろう。
【図１】
2012531971.tif 000003
【図２】
2012531971.tif 000004
【図３】
2012531971.tif 000005
【図４】
2012531971.tif 000006
【図５】
2012531971.tif 000007
【図６】
2012531971.tif 000008
【図７】
2012531971.tif 000009
【図８】
2012531971.tif 000010
【図９】
2012531971.tif 000011
【図１０】
2012531971.tif 000012
【図１１】
2012531971.tif 000013
【図１２】
2012531971.tif 000014
【図１３】
2012531971.tif 000015
【図１４】
2012531971.tif 000016
【図１５】
2012531971.tif 000017
【図１６】
2012531971.tif 000018
【図１７】
2012531971.tif 000019
【図１８】
2012531971.tif 000020
【図１９】
2012531971.tif 000021
【図２０】
2012531971.tif 000022
【図２１】
2012531971.tif 000023
【図２２】
2012531971.tif 000024
【図２３】
2012531971.tif 000025
【図２４】
2012531971.tif 000026
【図２５】
2012531971.tif 000027
【図２６】
2012531971.tif 000028
【図２７】
2012531971.tif 000029
【図２８】
2012531971.tif 000030
【図２９】
2012531971.tif 000031
【図３０】
2012531971.tif 000032
【図３１】
2012531971.tif 000033
【図３２】
2012531971.tif 000034
【図３３】
2012531971.tif 000035
【図３４】
2012531971.tif 000036
【図３５】
2012531971.tif 000037
【図３６】
2012531971.tif 000038
【図３７ａ】
2012531971.tif 000039
【図３７ｂ】
2012531971.tif 000040
【図３８】
2012531971.tif 000041
【図３９】
2012531971.tif 000042
【図４０ａ】
2012531971.tif 000043
【図４０ｂ】
2012531971.tif 000044
【図４０ｃ】
2012531971.tif 000045
【図４０ｄ】
2012531971.tif 000046
【図４１】
2012531971.tif 000047
【図４２】
2012531971.tif 000048
【図４３】
2012531971.tif 000049
【図４４】
2012531971.tif 000050
【図４５】
2012531971.tif 000051
【図４６】
2012531971.tif 000052
【図４７】
2012531971.tif 000053
【図４８ａ】
2012531971.tif 000054
【図４８ｂ】
2012531971.tif 000055
【図４８ｃ】
2012531971.tif 000056
【図４９】
2012531971.tif 000057
【図５０】
2012531971.tif 000058
【図５１】
2012531971.tif 000059
【図５２ａ】
2012531971.tif 000060
【図５２ｂ】
2012531971.tif 000061
【図５２ｃ】
2012531971.tif 000062
【図５３ａ】
2012531971.tif 000063
【図５３ｂ】
2012531971.tif 000064
【図５３ｃ】
2012531971.tif 000065
【図５３ｄ】
2012531971.tif 000066
【図５３ｅ】
2012531971.tif 000067
【図５４ａ】
2012531971.tif 000068
【図５４ｂ】
2012531971.tif 000069
【図５４ｃ】
2012531971.tif 000070
【図５４ｄ】
2012531971.tif 000071
【図５４ｅ】
2012531971.tif 000072
【図５４ｆ】
2012531971.tif 000073
【図５５ａ】
2012531971.tif 000074
【図５５ｂ】
2012531971.tif 000075
【図５５ｃ】
2012531971.tif 000076
【図５５ｄ】
2012531971.tif 000077
【図５６】
2012531971.tif 000078
【図５７】
2012531971.tif 000079
【図５８ａ】
2012531971.tif 000080
【図５８ｂ】
2012531971.tif 000081
【図５８ｃ】
2012531971.tif 000082
【図５８ｄ】
2012531971.tif 000083
【図５８ｅ】
2012531971.tif 000084
【図５９ａ】
2012531971.tif 000085
【図５９ｂ】
2012531971.tif 000086
【図５９ｃ】
2012531971.tif 000087
【図５９ｄ】
2012531971.tif 000088
【図６０】
2012531971.tif 000089
【図６１】
2012531971.tif 000090
【図６２】
2012531971.tif 000091
【図６３】
2012531971.tif 000092
【図６４】
2012531971.tif 000093
【図６５】
2012531971.tif 000094
【図６６】
2012531971.tif 000095
【図６７】
2012531971.tif 000096
【図６８】
2012531971.tif 000097
【図６９】
2012531971.tif 000098
【図７０】
2012531971.tif 000099
【図７１】
2012531971.tif 000100
【図７２】
2012531971.tif 000101
【図７３】
2012531971.tif 000102
【図７４】
2012531971.tif 000103
【図７５】
2012531971.tif 000104
【図７６】
2012531971.tif 000105
【図７７】
2012531971.tif 000106
【図７８】
2012531971.tif 000107
【図７９】
2012531971.tif 000108
【図８０】
2012531971.tif 000109
【図８１】
2012531971.tif 000110
【図８２】
2012531971.tif 000111
【図８３】
2012531971.tif 000112
【図８４】
2012531971.tif 000113
【図８５】
2012531971.tif 000114
【図８６】
2012531971.tif 000115
【図８７】
2012531971.tif 000116
【図８８】
2012531971.tif 000117
【図８９】
2012531971.tif 000118
【図９０】
2012531971.tif 000119
【図９１】
2012531971.tif 000120
【国際調査報告】
2012531971.tif 000121
2012531971.tif 000122